(57)【要約】  ソール構造体(200A、200)は、ヒール領域(16)と、フォアフット領域(12)と、ヒール領域(16)とフォアフット領域(12)との間に配設されたミッドフット領域とを備える。また、ソール構造体(200A、200)は、フォアフット領域(12)内に配設された第1の流体充填セグメント(310)であって、ソール構造体(200A、200)の内側部(20)からソール構造体(200A、200)の外側部(18)まで連続的に延在する第1の部分(311)を備える、第1の流体充填セグメント(310)を備える。また、ソール構造体(200A、200)は、ヒール領域(16)と第1の流体充填セグメント(310)との間に配設された第2の流体充填セグメント(320)であって、内側部(20)と外側部(18)との間で連続的に延在する第1の部分(321)を備える、第2の流体充填セグメント(320)を備える。また、ソール構造体(200A、200)は、第1の流体充填セグメント(310)と第2の流体充填セグメント(320)との間に配設された第3の流体充填セグメント(330)であって、内側部(20)および外側部(18)の一方に沿って延在する第1の部分(331)と、第1の部分(331)から内側部(20)および外側部(18)の他方に向かって延在する第2の部分(332)とを備える、第3の流体充填セグメント(330)を備える。
2019508180.tif 000002
【特許請求の範囲】
【請求項１】
アッパーを有するフットウェア製品用のソール構造体であって、
ヒール領域と、
フォアフット領域と、
前記ヒール領域と前記フォアフット領域との間に配設されたミッドフット領域と、
前記フォアフット領域内に配設された第1の流体充填セグメントであって、前記ソール構造体の内側部から前記ソール構造体の外側部まで連続的に延在する第1の部分を備える第1の流体充填セグメントと、
前記ヒール領域と前記第1の流体充填セグメントとの間に配設された第2の流体充填セグメントであって、前記ソール構造体の前記内側部と前記ソール構造体の前記外側部との間で連続的に延在する第1の部分を備える第2の流体充填セグメントと、
前記第1の流体充填セグメントと前記第2の流体充填セグメントとの間に配設された第3の流体充填セグメントであって、前記ソール構造体の前記内側部および前記ソール構造体の前記外側部の一方に沿って延在する第1の部分、および前記第1の部分から前記内側部および前記外側部の他方に向かって延在し前記内側部と前記外側部との間の第1の位置にて終端する遠位端を有する第2の部分を備える、第3の流体充填セグメントと
を備える、ソール構造体。
【請求項２】
前記第3の流体充填セグメントは、前記第3の流体充填セグメントの前記第1の部分から前記内側部および前記外側部の前記他方に向かって延在する第3の部分を備える、請求項1に記載のソール構造体。
【請求項３】
前記第3の部分は、前記第2の部分と共に収束形状を作る、請求項2に記載のソール構造体。
【請求項４】
前記第3の部分は、前内側部と前記外側部との間の第2の位置にて終端する遠位端を備える、請求項2に記載のソール構造体。
【請求項５】
前記第1の位置は、前記第2の位置とは異なる、請求項4に記載のソール構造体。
【請求項６】
前記第2の部分および前記第3の部分の一方が、前記第2の部分および前記第3の部分の他方よりも大きな度合いで前記内側部および前記外側部の前記他方に向かって延在する、請求項1から5のいずれか一項に記載のソール構造体。
【請求項７】
前記第2の部分および前記第3の部分は、それぞれ異なる長さを備える、請求項1から6のいずれか一項に記載のソール構造体。
【請求項８】
前記第2の部分および前記第3の部分の少なくとも一方の前記遠位端が、前記アッパーに向かう方向にテーパ状をなす、請求項1から7のいずれか一項に記載のソール構造体。
【請求項９】
前記第1の流体充填セグメントの前記第1の部分は、前記第2の流体充填セグメントの前記第1の部分と共に収束形状を作る、請求項1から8のいずれか一項に記載のソール構造体。
【請求項１０】
前記第1の流体充填セグメントは、前記内側部および前記外側部の前記一方に沿って延在する第2の部分と、前記第1の流体充填セグメントの前記第2の部分から前記内側部および前記外側部の前記他方に向かって延在する第3の部分とを備える、請求項1から9のいずれか一項に記載のソール構造体。
【請求項１１】
前記第1の流体充填セグメントの前記第3の部分は、前記内側部と前記外側部との間にて終端する遠位端を備える、請求項10に記載のソール構造体。
【請求項１２】
前記第1の流体充填セグメントの前記第3の部分の前記遠位端は、前記アッパーに向かう方向にテーパ状をなす、請求項11に記載のソール構造体。
【請求項１３】
前記第1の流体充填セグメントは、前記内側部および前記外側部の前記他方に沿って延在する第4の部分と、前記第1の流体充填セグメントの前記第4の部分から前記内側部および前記外側部の前記一方に向かって延在する第5の部分とを備える、請求項10から12のいずれか一項に記載のソール構造体。
【請求項１４】
前記第1の流体充填セグメントの前記第5の部分は、前記内側部と前記外側部との間の位置にて終端する遠位端を備える、請求項13に記載のソール構造体。
【請求項１５】
前記第1の流体充填セグメントの前記第5の部分の前記遠位端は、前記アッパーに向かう方向にテーパ状をなす、請求項14に記載のソール構造体。
【請求項１６】
前記第1の流体充填セグメントの前記第3の部分および前記第1の流体充填セグメントの前記第5の部分は、相互に対して実質的に平行である、請求項13から15のいずれか一項に記載のソール構造体。
【請求項１７】
前記第2の流体充填セグメントは、前記内側部および前記外側部の前記他方に沿って前記第2の流体充填セグメントの前記第1の部分から延在する第2の部分を備える、請求項1から16のいずれか一項に記載のソール構造体。
【請求項１８】
前記第2の流体充填セグメントは、前記第2の流体充填セグメントの前記第2の部分から前記内側部および前記外側部の前記一方に向かって延在する第3の部分を備える、請求項17に記載のソール構造体。
【請求項１９】
前記第2の流体充填セグメントの前記第3の部分は、前記内側部と前記外側部との間の位置にて終端する遠位端を備える、請求項18に記載のソール構造体。
【請求項２０】
前記第2の流体充填セグメントの前記第3の部分の前記遠位端は、前記アッパーに向かう方向にテーパ状をなす、請求項19に記載のソール構造体。
【請求項２１】
前記第2の流体充填セグメントは、前記内側部および前記外側部の前記一方に沿って前記第2の流体充填セグメントの前記第1の部分から延在する第4の部分を備える、請求項17から20のいずれか一項に記載のソール構造体。
【請求項２２】
前記第1の流体充填セグメント、前記第2の流体充填セグメント、および前記第3の流体充填セグメントは、相互に流体連通状態にある、請求項1から21のいずれか一項に記載のソール構造体。
【請求項２３】
前記第1の流体充填セグメント、前記第2の流体充填セグメント、および前記第3の流体充填セグメントの中の少なくとも1つにそれぞれ装着された複数の別個のセグメントを備えるアウトソールをさらに備える、請求項1から22のいずれか一項に記載のソール構造体。
【請求項２４】
前記アウトソールの各セグメントが、前記第1の流体充填セグメント、前記第2の流体充填セグメント、および前記第3の流体充填セグメントの中のそれぞれの形状に合致するように輪郭設定された形状を備え、前記アウトソールの前記セグメントは、前記第1の流体充填セグメント、前記第2の流体充填セグメント、および前記第3の流体充填セグメントのそれぞれの長手方向軸に沿って実質的に平行に延在する一連の溝を画定する地面係合表面を備える、請求項23に記載のソール構造体。
【請求項２５】
前記第1の流体充填セグメント、前記第2の流体充填セグメント、および前記第3の流体充填セグメントの中の少なくとも1つが、装着された前記アウトソールの前記各セグメントを支持するリニアリッジを備える、請求項23に記載のソール構造体。
【請求項２６】
請求項1から25のいずれか一項に記載の前記ソール構造体を組み込んだフットウェア製品。
【請求項２７】
アッパーを有するフットウェア製品用のソール構造体であって、
ヒール領域と、
フォアフット領域と、
前記ヒール領域と前記フォアフット領域との間に配設されたミッドフット領域と、
前記ヒール領域と前記フォアフット領域との間でおよび前記ソール構造体の内側部から前記ソール構造体の外側部まで延在する第1の流体充填セグメントと、
前記ヒール領域と前記フォアフット領域との間でおよび前記ソール構造体の前記外側部から前記ソール構造体の前記内側部まで延在する第2の流体充填セグメントであって、前記ミッドフット領域にて前記第1の流体充填セグメントと交差する、第2の流体充填セグメントと
を備える、ソール構造体。
【請求項２８】
前記第2の流体充填セグメントは、前記外側部から前記内側部まで前記ミッドフット領域にわたり連続的に延在する、請求項27に記載のソール構造体。
【請求項２９】
前記第1の流体充填セグメントは、前記第2の流体充填セグメントの第1の側部上に配設された第1の部分と、前記第2の流体充填セグメントの反対側の第2の側部上に配設された第2の部分とを備える、請求項1から25、27、及び28のいずれか一項に記載のソール構造体。
【請求項３０】
前記第2の流体充填セグメントは、前記第1の部分と前記第2の部分との間の位置にて前記第1の流体充填セグメントと交差する、請求項29に記載のソール構造体。
【請求項３１】
前記第1の部分の長手方向軸が、前記第2の部分の長手方向軸と位置合わせされる、請求項29または30に記載のソール構造体。
【請求項３２】
前記第1の流体充填セグメントは、前記第1の流体充填セグメントの前記第2の部分から前記ソール構造体の前記内側部に向かって延在する第3の部分を備える、請求項29から31のいずれか一項に記載のソール構造体。
【請求項３３】
前記第1の流体充填セグメントの前記第3の部分は、前記外側部から前記内側部まで連続的に延在する、請求項32に記載のソール構造体。
【請求項３４】
前記第1の流体充填セグメントは、前記第1の流体充填セグメントの前記第3の部分から前記ソール構造体の前記内側部に沿って延在する第4の部分を備える、請求項32または33に記載のソール構造体。
【請求項３５】
前記第1の流体充填セグメントは、前記第1の流体充填セグメントの前記第4の部分から前記ソール構造体の前記外側部に向かって延在する第5の部分を備える、請求項34に記載のソール構造体。
【請求項３６】
前記第1の流体充填セグメントの前記第5の部分は、前記内側部と前記外側部との間の位置にて終端する遠位端を備える、請求項35に記載のソール構造体。
【請求項３７】
前記遠位端は、前記アッパーに向かう方向にテーパ状をなす、請求項36に記載のソール構造体。
【請求項３８】
前記第2の流体充填セグメントは、前記ヒール領域と前記フォアフット領域との間でおよび前記ソール構造体の前記外側部から前記ソール構造体の前記内側部まで延在する第1の部分と、前記第2の流体充填セグメントの前記第1の部分から前記外側部に向かって延在する第2の部分とを備える、請求項1から25及び27から37のいずれか一項に記載のソール構造体。
【請求項３９】
前記第2の流体充填セグメントの前記第2の部分は、前記内側部と前記外側部との間の位置にて終端する遠位端を備える、請求項38に記載のソール構造体。
【請求項４０】
前記第2の流体充填セグメントの前記第2の部分の前記遠位端は、アッパーに向かう方向にテーパ状をなす、請求項39に記載のソール構造体。
【請求項４１】
前記第2の流体充填セグメントの前記第2の部分は、前記第1の流体充填セグメントの前記第5の部分に対して実質的に平行である、請求項38から40のいずれか一項に記載のソール構造体。
【請求項４２】
前記第1の流体充填セグメントおよび前記第2の流体充填セグメントに装着されたオーバーモールド成形部分をさらに備える、請求項1から25及び27から41のいずれか一項に記載のソール構造体。
【請求項４３】
前記オーバーモールド成形部分は、前記第1の流体充填セグメントを形成する材料および前記第2の流体充填セグメントを形成する材料よりも大きな厚さおよび高い剛性の少なくとも一方を備える、請求項42に記載のソール構造体。
【請求項４４】
前記オーバーモールド成形部分は、前記第2の流体充填セグメントが前記第1の流体充填セグメントと交差する位置にて前記第1の流体充填セグメントおよび前記第2の流体充填セグメントに装着される、請求項42または43に記載のソール構造体。
【請求項４５】
前記第1の流体充填セグメントおよび前記第2の流体充填セグメントとは反対側の前記オーバーモールド成形部分上で前記オーバーモールド成形部分に装着されたアウトソールをさらに備える、請求項42から44のいずれか一項に記載のソール構造体。
【請求項４６】
前記第1の流体充填セグメントは、前記第2の流体充填セグメントと流体連通状態にある、請求項1から25及び27から45のいずれか一項に記載のソール構造体。
【請求項４７】
前記第2の流体充填セグメントは、前記第1の流体充填セグメントよりも大きな度合いで前記アッパーから離れる方向に延在する、請求項1から25及び27から46のいずれか一項に記載のソール構造体。
【請求項４８】
前記第1の流体充填セグメントおよび前記第2の流体充填セグメントの少なくとも一方にそれぞれ装着された複数の別個のセグメントを備えるアウトソールをさらに備える、請求項27から41、46、及び47のいずれか一項に記載のソール構造体。
【請求項４９】
前記アウトソールの各セグメントが、前記第1の流体充填セグメントおよび前記第2の流体充填セグメントのそれぞれの形状に合致するように輪郭設定された形状を備え、前記アウトソールの前記セグメントは、前記第1の流体充填セグメントおよび前記第2の流体充填セグメントのそれぞれの長手方向軸に沿って実質的に平行に延在する一連の溝を画定する地面係合表面を備える、請求項48に記載のソール構造体。
【請求項５０】
前記第1の流体充填セグメントおよび前記第2の流体充填セグメントの少なくとも一方が、装着された前記アウトソールの各セグメントを支持するリニアリッジを備える、請求項49に記載のソール構造体。
【請求項５１】
請求項1から50のいずれか一項に記載の前記ソール構造体を組み込んだフットウェア製品。
【請求項５２】
アッパーを有するフットウェア製品用のソール構造体であって、
第1の流体充填セグメントであって、前記ソール構造体の内側部および前記ソール構造体の外側部の一方に沿って延在する第1の部分と、前記第1の流体充填セグメントの前記第1の部分から前記内側部および前記外側部の他方に向かって延在する第2の部分とを備え、前記第2の部分は、前記内側部と前記外側部との間の第1の位置にて終端し前記アッパーに向かう方向にテーパ状をなす遠位端を備える、第1の流体充填セグメント
を備える、ソール構造体。
【請求項５３】
前記第1の流体充填セグメントは、前記第1の流体充填セグメントの前記第1の部分から前記内側部および前記外側部の前記他方に向かって延在する第3の部分を備える、請求項52に記載のソール構造体。
【請求項５４】
前記第3の部分は、前記第2の部分と共に収束形状を作る、請求項53に記載のソール構造体。
【請求項５５】
前記第3の部分は、前記内側部と前記外側部との間の第2の位置にて終端する遠位端を備える、請求項53に記載のソール構造体。
【請求項５６】
前記第1の位置は、前記第2の位置とは異なる、請求項55に記載のソール構造体。
【請求項５７】
前記第2の部分および前記第3の部分の一方が、前記第2の部分および前記第3の部分の他方よりも大きな度合いで前記内側部および前記外側部の前記他方に向かって延在する、請求項1から25、27から50、及び52から56のいずれか一項に記載のソール構造体。
【請求項５８】
前記第2の部分および前記第3の部分は、それぞれ異なる長さを備える、請求項1から25、27から50、及び52から57のいずれか一項に記載のソール構造体。
【請求項５９】
前記第1の流体充填セグメントに隣接して配設され、前記ソール構造体の前記内側部と前記ソール構造体の前記外側部との間で延在する第1の部分を備える、第2の流体充填セグメントをさらに備える、請求項1から25、27から50、及び52から58のいずれか一項に記載のソール構造体。
【請求項６０】
前記第2の流体充填セグメントの前記第1の部分は、前記ソール構造体の前記内側部と前記ソール構造体の前記外側部との間で連続的に延在する、請求項59に記載のソール構造体。
【請求項６１】
前記第2の流体充填セグメントの前記第1の部分は、前記第1の流体充填セグメントの前記第2の部分に対して実質的に平行である、請求項59または60に記載のソール構造体。
【請求項６２】
前記第2の流体充填セグメントは、前記内側部および前記外側部の前記他方に沿って延在する第2の部分と、前記第2の流体充填セグメントの前記第2の部分から前記内側部および前記外側部の前記一方に向かって延在する第3の部分とを備える、請求項59から61のいずれか一項に記載のソール構造体。
【請求項６３】
前記第2の流体充填セグメントの前記第2の部分は、前記内側部と前記外側部との間の位置にて終端する遠位端を備える、請求項62に記載のソール構造体。
【請求項６４】
前記遠位端は、前記アッパーに向かう方向にテーパ状をなす、請求項63に記載のソール構造体。
【請求項６５】
前記第1の流体充填セグメントは、前記第2の流体充填セグメントと流体連通状態にある、請求項1から25、27から50、及び52から64のいずれか一項に記載のソール構造体。
【請求項６６】
請求項1から25、27から50、及び52から65のいずれか一項に記載の前記ソール構造体を組み込んだフットウェア製品。
【請求項６７】
アッパーを有するフットウェア製品用のソール構造体であって、
第1の流体充填セグメントであって、前記ソール構造体の内側部および前記ソール構造体の外側部の一方に沿って延在する第1の部分と、前記第1の流体充填セグメントの前記第1の部分から前記内側部および前記外側部の他方に向かって延在する第2の部分と、前記第1の流体充填セグメントの前記第1の部分から前記内側部および前記外側部の前記他方に向かって延在し前記第2の部分と共に収束形状を作る第3の部分とを備える、第1の流体充填セグメント
を備える、ソール構造体。
【請求項６８】
前記第2の部分は、前記内側部と前記外側部との間の第1の位置にて終端し前記アッパーに向かう方向にテーパ状をなす遠位端を備える、請求項67に記載のソール構造体。
【請求項６９】
前記第3の部分は、前記内側部と前記外側部との間の第2の位置にて終端する遠位端を備える、請求項1から25、27から50、52から65、67、及び68のいずれか一項に記載のソール構造体。
【請求項７０】
前記第1の位置は、前記第2の位置とは異なる、請求項69に記載のソール構造体。
【請求項７１】
前記第2の部分および前記第3の部分の一方が、前記第2の部分および前記第3の部分の他方よりも大きな度合いで前記内側部および前記外側部の前記他方に向かって延在する、請求項1から25、27から50、52から65、及び67から70のいずれか一項に記載のソール構造体。
【請求項７２】
前記第2の部分および前記第3の部分は、それぞれ異なる長さを備える、請求項1から25、27から50、52から65、及び67から71のいずれか一項に記載のソール構造体。
【請求項７３】
前記第1の流体充填セグメントに隣接して配設され、前記ソール構造体の前記内側部と前記ソール構造体の前記外側部との間で延在する第1の部分を備える第2の流体充填セグメントをさらに備える、請求項1から25、27から50、52から65、及び67から72のいずれか一項に記載のソール構造体。
【請求項７４】
前記第2の流体充填セグメントの前記第1の部分は、前記ソール構造体の前記内側部と前記ソール構造体の前記外側部との間で連続的に延在する、請求項73に記載のソール構造体。
【請求項７５】
前記第2の流体充填セグメントの前記第1の部分は、前記第1の流体充填セグメントの前記第2の部分に対して実質的に平行である、請求項73または74に記載のソール構造体。
【請求項７６】
前記第2の流体充填セグメントは、前記内側部および前記外側部の前記他方に沿って延在する第2の部分と、前記第2の流体充填セグメントの前記第2の部分から前記内側部および前記外側部の前記一方に向かって延在する第3の部分とを備える、請求項73から75のいずれか一項に記載のソール構造体。
【請求項７７】
前記第2の流体充填セグメントの前記第2の部分は、前記内側部と前記外側部との間の位置にて終端する遠位端を備える、請求項76に記載のソール構造体。
【請求項７８】
前記第2の流体充填セグメントの前記第2の部分の前記遠位端は、前記アッパーに向かう方向にテーパ状をなす、請求項77に記載のソール構造体。
【請求項７９】
前記第1の流体充填セグメントは、前記第2の流体充填セグメントと流体連通状態にある、請求項1から25、27から50、52から65、及び67から78のいずれか一項に記載のソール構造体。
【請求項８０】
請求項1から25、27から50、52から65、及び67から79のいずれか一項に記載の前記ソール構造体を組み込んだフットウェア製品。
【発明の詳細な説明】
【技術分野】
【０００１】
関連出願の相互参照
本願は、2016年3月15日に出願された米国特許仮出願第62/308,819号、および2017年3月15日に出願された米国特許出願第15/459,118号に基づく優先権を主張するものであり、これらの開示は、その全体が参照により本明細書に組み込まれる。
【０００２】
本開示は、一般的にはフットウェア製品用のソール構造体に関し、より詳細には複数の流体充填セグメントを有する流体充填チャンバを組み込んだソール構造体に関する。
【背景技術】
【０００３】
本章は、必ずしも先行技術であるとは限らない、本開示に関する背景情報を提示する。
【０００４】
フットウェア製品は、従来、アッパーおよびソール構造体を備える。アッパーは、ソール構造体の上に足を受け、固定し、および支持するために、任意の適切な材料から形成され得る。アッパーは、足の周囲におけるアッパーのフィット性を調節するために紐、ストラップ、または他の留め具と協働し得る。足の底面の近傍に位置するアッパーの底部部分が、ソール構造体に装着される。
【０００５】
ソール構造体は、地面とアッパーとの間に延在する層状構成を一般的に備える。ソール構造体の中の1つの層が、耐摩耗性と地面に対する静止摩擦とを与えるアウトソールを備える。アウトソールは、ゴム、または耐久性および耐摩耗性を与え地面に対する静止摩擦を強化する他の材料から形成され得る。ソール構造体の別の層は、アウトソールとアッパーとの間に配設されたミッドソールを備える。ミッドソールは、足に対して緩衝を与え、地面反力を減衰することにより足に緩衝を与えるように荷重印加下において弾性的に圧縮されるポリマー発泡体材料から部分的に形成され得る。ミッドソールは、ソール構造体の耐久性を上昇させ、地面反力を減衰するように荷重印加下において弾性的に圧縮されることによって足に対して緩衝を与えるために、流体充填チャンバを追加的にまたは代替的に組み込み得る。また、ソール構造体は、アッパーの底部部分の近傍の空部内に位置する快適性強化インソールまたはソックライナと、アッパーに装着されミッドソールとインソールまたはソックライナとの間に配設されたストローブルとを備えてもよい。
【０００６】
流体充填チャンバを使用するミッドソールは、共に封着または結合され、空気などの流体で加圧された、ポリマー材料の2つのバリア層から形成されたチャンバとして一般的に構成され、チャンバが運動動作中などに荷重印加下において弾性的に圧縮される場合にチャンバの形状を保持するためにチャンバ内に引張部材を組み込み得る。一般的には、流体充填チャンバは、足に対するバランス支援と、流体充填チャンバが荷重印加下において弾性的に圧縮されることによる応答性に関係する緩衝特徴とに重点をおいて設計される。しかし、流体充填チャンバは、運動動作中の一連の地面反力間における方向シフトの最中に、足に対する支持と、アウトソールと地面との間における許容レベルの静止摩擦とを十分に与えることが概してできず、それにより結果として、足は、次の運動動作に対する準備において不安定になる。したがって、種々の方向に印加される地面反力を減衰しつつ、アウトソールと地面との間における許容可能な静止摩擦と足に対する十分な支持とを与える流体充填チャンバからミッドソールを作製することは、実現が困難である。
【発明の概要】
【課題を解決するための手段】
【０００７】
本明細書において説明される図面は、選択された構成を例示することを専ら目的とするものであり、本開示の範囲を限定するように意図されない。
【図面の簡単な説明】
【０００８】
【図１】本開示の原理によるフットウェア製品の側方斜視図である。
【図２】層状構成で構成されたヒールカップ、流体充填チャンバ、およびアウトソールを有するソール構造体を示す、図1のフットウェア製品の分解図である。
【図３】ソール構造体のヒール領域内における、流体充填チャンバの流体充填セグメント間に装着されたオーバーモールド成形部分とアウトソールとを示す、図1の線3-3に沿った断面図である。
【図４】ソール構造体の外側部からソール構造体の内側部まで連続的に延在し、流体充填チャンバの上方バリア層と下方バリア層との間の接合により形成されたウェブエリアを示す、図1の線4-4に沿った断面図である。
【図５】本開示の原理によるフットウェア製品の側方斜視図である。
【図６】層状構成で構成されたミッドソール、流体充填チャンバ、およびアウトソールを有するソール構造体を示す、図5のフットウェア製品の分解図である。
【図７】ソール構造体のヒール領域内における、流体充填チャンバの流体充填セグメント間に装着されたオーバーモールド成形部分とアウトソールとを示す、図5の線7-7に沿った断面図である。
【図８】ソール構造体の外側部からソール構造体の内側部まで連続的に延在し、流体充填チャンバの上方バリア層と下方バリア層との間の接合により形成されたウェブエリアを示す、図5の線8-8に沿った断面図である。
【図９】ソール構造体の複数の流体充填セグメントのジオメトリおよび構成を示す、図5のフットウェア製品の下方斜視図である。
【図１０】ソール構造体のフォアフット領域内に配設された流体充填セグメントを示す、図9の線10-10に沿った断面図である。
【図１１】ソール構造体のミッドフット領域内に配設された流体充填セグメントを示す、図9の線11-11に沿った断面図である。
【図１２】ソール構造体のヒール領域に隣接したミッドフット領域内に配設された流体充填セグメントを示す、図9の線12-12に沿った断面図である。
【図１３】ソール構造体のフォアフット領域およびミッドフット領域を通り、ソール構造体の外側部とソール構造体の内側部との間に延在する流体充填セグメントを示す、図9の線13-13に沿った断面図である。
【図１４】アウトソールセグメントが装着された流体充填セグメントの斜視図である。
【図１５】流体充填チャンバの流体充填セグメントにオーバーモールド成形部分が装着された、流体充填チャンバの底面図である。
【図１６】ソール構造体の流体充填セグメントにより規定された緩衝および支持ベクトルを示す、図5のフットウェア製品の下方斜視図である。
【図１７】流体充填チャンバの下方層に装着されたオーバーモールド成形部分を示す、図5のフットウェア製品の後方斜視図である。
【発明を実施するための形態】
【０００９】
対応する参照数字は、図面全体を通じて対応するパーツを示す。
【００１０】
以下、添付の図面を参照して構成例をより十分に説明する。構成例は、本開示が完全なものとなり、本開示により当業者に対して開示範囲を十分に伝えるために提示される。具体な構成要素、デバイス、および方法の例などの具体的詳細は、本開示の構成の完全な理解を促すために示される。これらの具体的詳細は採用される必要はないこと、これらの構成例は多数の異なる形態で具現化され得ること、ならびに具体的詳細および構成例は本開示の範囲を限定するものとして解釈されるべきではないことが、当業者には明らかであろう。
【００１１】
本明細書において使用される術語は、単に特定の例示の構成を説明するためのものであり、限定するようには意図されない。本明細書において、単数冠詞「a、an」および「the」は、文脈において別様のことが明示されない限り、複数形をさらに含むように意図され得る。「備える(comprises)」、「備えた(comprising)」、「含んだ(including)」、および「有した(having)」という用語は、包括的であり、したがって特徴、ステップ、動作、要素、および/または構成要素の存在を明示するが、1つまたは複数の他の特徴、ステップ、動作、要素、構成要素、および/またはそれらの群の存在または追加を排除しない。本明細書において説明される方法ステップ、プロセス、および動作は、実施順序として具体的に特定されない限りは、論じられるまたは説明される特定の順序でのそれらの実施を必須とするものとして解釈されるべきではない。追加のまたは代替のステップが利用され得る。
【００１２】
要素または層が、別の要素または層「の上に位置する」、「に係合されている」、「に連結されている」、「に装着されている」、または「に結合されている」として言及される場合には、前述の要素または層は、他方の要素または層の上に直接位置しても、直接係合されても、直接連結されても、直接装着されても、または直接結合されてもよく、あるいは介在要素または介在層が存在してもよい。対照的に、要素が、別の要素または層「の上に直接位置する」、「に直接係合されている」、「に直接連結されている」、「に直接装着されている」、または「に直接結合されている」として言及される場合には、介在要素または介在層は存在しなくてもよい。要素間の関係を説明するために使用される他の語は、同様に解釈されるべきである(例えば「の間に」と「の間において直接」、「に隣接して」と「に直接隣接して」、等)。本明細書において、「および/または」という用語は、関連する列挙された項目の中の1つまたは複数のあらゆる組合せを含む。
【００１３】
本明細書において、第1の、第2の、第3の、等の用語は、様々な要素、構成要素、領域、層、および/またはセクションを説明するために使用され得る。これらの要素、構成要素、領域、層、および/またはセクションは、これらの用語によって限定されるべきではない。これらの用語は、ある要素、構成要素、領域、層、またはセクションを別の領域、層、またはセクションから識別するために使用されるに過ぎない場合がある。「第1の」、「第2の」、および他の数字用語などの用語は、文脈により明確に指定されない限りは、順列または順序を示さない。したがって、以下で論じる第1の要素、第1の構成要素、第1の領域、第1の層、または第1のセクションは、構成例の教示から逸脱することなく第2の要素、第2の構成要素、第2の領域、第2の層、または第2のセクションと呼ぶことが可能である。
【００１４】
本開示の一態様は、フットウェア製品用のソール構造体を提供する。このソール構造体は、ヒール領域と、フォアフット領域と、ヒール領域とフォアフット領域との間に配設されたミッドフット領域と、第1の流体充填セグメントと、第2の流体充填セグメントと、第3の流体充填セグメントとを備える。第1の流体充填セグメントは、フォアフット領域内に配設され、ソール構造体の内側部からソール構造体の外側部まで連続的に延在する第1の部分を備える。第2の流体充填セグメントは、ヒール領域と第1の流体充填セグメントとの間に配設され、ソール構造体の内側部とソール構造体の外側部との間で連続的に延在する第1の部分を備える。第3の流体充填セグメントは、第1の流体充填セグメントと第2の流体充填セグメントとの間に配設され、ソール構造体の内側部およびソール構造体の外側部の一方に沿って延在する第1の部分と、この第1の部分から内側部および外側部の他方に向かって延在し、内側部と外側部との間の第1の位置にて終端する遠位端を有する第2の部分とを備える。
【００１５】
本開示の実装形態は、以下の任意選択の特徴の中の1つまたは複数を含み得る。いくつかの実装形態では、第3の流体充填セグメントは、第3の流体充填セグメントの第1の部分から内側部および外側部の他方に向かって延在する第3の部分を備える。この第3の部分は、第2の部分と共に収束形状を作ってもよい。第3の部分は、内側部と外側部との間の第2の位置にて終端する遠位端を備え得る。第1の位置は、第2の位置とは異なり得る。第2の部分および第3の部分の一方が、第2の部分および第3の部分の他方よりも大きな度合いで内側部および外側部の他方に向かって延在し得る。いくつかの例では、第2の部分および第3の部分は、それぞれ異なる長さを備える。第2の部分および第3の部分の少なくとも一方の遠位端は、アッパーに向かう方向にテーパ状をなし得る。
【００１６】
いくつかの実装形態では、第1の流体充填セグメントの第1の部分は、第2の流体充填セグメントの第1の部分と共に収束形状を作る。第1の流体充填セグメントは、内側部および外側部の一方に沿って延在する第2の部分と、第1の流体充填セグメントの第2の部分から内側部および外側部の他方に向かって延在する第3の部分とを備え得る。第1の流体充填セグメントの第3の部分は、内側部と外側部との間で終端する遠位端を備え得る。第1の流体充填セグメントの第3の部分の遠位端は、アッパーに向かう方向にテーパ状をなし得る。
【００１７】
第1の流体充填セグメントは、内側部および外側部の他方に沿って延在する第4の部分と、第1の流体充填セグメントの第4の部分から内側部および外側部の一方に向かって延在する第5の部分とを備え得る。第1の流体充填セグメントの第5の部分は、内側部と外側部との間の位置にて終端する遠位端を備え得る。第1の流体充填セグメントの第5の部分の遠位端は、アッパーに向かう方向にテーパ状をなし得る。いくつかの例では、第1の流体充填セグメントの第3の部分および第1の流体充填セグメントの第5の部分は、実質的に相互に平行である。
【００１８】
いくつかの実装形態では、第2の流体充填セグメントは、第2の流体充填セグメントの第1の部分から内側部および外側部の他方に沿って延在する第2の部分を備える。第2の流体充填セグメントは、第2の流体充填セグメントの第2の部分から内側部および外側部の一方に向かって延在する第3の部分を備え得る。第2の流体充填セグメントの第3の部分は、内側部と外側部との間の位置にて終端する遠位端を備え得る。第2の流体充填セグメントの第3の部分の遠位端は、アッパーに向かう方向にテーパ状をなし得る。また、第2の流体充填セグメントは、第2の流体充填セグメントの第1の部分から内側部および外側部の一方に沿って延在する第4の部分を備え得る。いくつかの例では、第1の流体充填セグメント、第2の流体充填セグメント、および第3の流体充填セグメントは、相互に流体連通状態にある。
【００１９】
ソール構造体は、第1の流体充填セグメント、第2の流体充填セグメント、および第3の流体充填セグメントの中の少なくとも1つにそれぞれ装着された複数の別個のセグメントを備えるアウトソールを備えてもよい。アウトソールの各セグメントが、第1の流体充填セグメント、第2の流体充填セグメント、および第3の流体充填セグメントのそれぞれの形状に合致するように輪郭設定された形状を備えてもよい。アウトソールのセグメントは、第1の流体充填セグメント、第2の流体充填セグメント、および第3の流体充填セグメントのそれぞれの長手方向軸に沿って実質的に平行に延在する一連の溝を画定する地面係合表面を備え得る。第1の流体充填セグメント、第2の流体充填セグメント、および第3の流体充填セグメントの中の少なくとも1つが、装着されたアウトソールの各セグメントを支持するリニアリッジを備えてもよい。
【００２０】
本開示の別の態様は、ヒール領域と、フォアフット領域と、ヒール領域とフォアフット領域との間に配設されたミッドフット領域と、第1の流体充填セグメントと、第2の流体充填セグメントとを備えるフットウェア製品用のソール構造体を提供する。第1の流体充填セグメントは、ヒール領域とフォアフット領域との間においてソール構造体の内側部からソール構造体の外側部まで延在する。第2の流体充填セグメントは、ヒール領域とフォアフット領域との間においてソール構造体の外側部からソール構造体の内側部まで延在する。第2の流体充填セグメントは、ミッドフット領域にて第1の流体充填セグメントと交差する。
【００２１】
本態様は、以下の任意選択の特徴の中の1つまたは複数を備えてもよい。第2の流体充填セグメントは、ミッドフット領域にわたり外側部から内側部まで連続的に延在してもよい。第1の流体充填セグメントは、第2の流体充填セグメントの第1の側部上に配設された第1の部分と、第2の流体充填セグメントの反対側の第2の側部上に配設された第2の部分とを備えてもよい。第2の流体充填セグメントは、第1の部分と第2の部分との間の位置にて第1の流体充填セグメントと交差してもよい。第1の部分の長手方向軸は、第2の部分の長手方向軸に整列されてもよい。
【００２２】
いくつかの例では、第1の流体充填セグメントは、第1の流体充填セグメントの第2の部分からソール構造体の内側部に向かって延在する第3の部分を備える。第1の流体充填セグメントの第3の部分は、外側部から内側部まで連続的に延在し得る。第1の流体充填セグメントは、第1の流体充填セグメントの第3の部分からソール構造体の内側部に沿って延在する第4の部分を備え得る。第1の流体充填セグメントは、第1の流体充填セグメントの第4の部分からソール構造体の外側部に向かって延在する第5の部分をさらに備え得る。第1の流体充填セグメントの第5の部分は、内側部と外側部との間の位置にて終端する遠位端を備え得る。遠位端は、アッパーに向かう方向にテーパ状をなし得る。
【００２３】
いくつかの例では、第2の流体充填セグメントは、ヒール領域とフォアフット領域との間においてソール構造体の外側部からソール構造体の内側部まで延在する第1の部分と、第2の流体充填セグメントの第1の部分から外側部に向かって延在する第2の部分とを備える。第2の流体充填セグメントの第2の部分は、内側部と外側部との間の位置にて終端する遠位端を備え得る。第2の流体充填セグメントの第2の部分の遠位端は、アッパーに向かう方向にテーパ状をなし得る。第2の流体充填セグメントの第2の部分は、第1の流体充填セグメントの第5の部分に対して実質的に平行であってもよい。
【００２４】
いくつかの実装形態では、オーバーモールド成形部分が、第1の流体充填セグメントおよび第2の流体充填セグメントに装着される。オーバーモールド成形部分は、第1の流体充填セグメントを形成する材料および第2の流体充填セグメントを形成する材料よりも大きな厚さおよび高い剛性の少なくとも一方を備え得る。オーバーモールド成形部分は、第2の流体充填セグメントが第1の流体充填セグメントと交差する位置にて第1の流体充填セグメントおよび第2の流体充填セグメントに装着され得る。ソール構造体は、第1の流体充填セグメントおよび第2の流体充填セグメントとは反対側のオーバーモールド成形部分の側部にてオーバーモールド成形部分に装着されたアウトソールをさらに備え得る。
【００２５】
いくつかの構成では、第1の流体充填セグメントは、第2の流体充填セグメントと流体連通状態にある。第2の流体充填セグメントは、第1の流体充填セグメントよりも大きな度合いでアッパーから離れる方向に延在し得る。いくつかの例では、ソール構造体は、第1の流体充填セグメントおよび第2の流体充填セグメントの少なくとも一方にそれぞれ装着された複数の別個のセグメントを備えるアウトソールを備える。例えば、アウトソールの各セグメントが、第1の流体充填セグメントおよび第2の流体充填セグメントのそれぞれの形状に合致するように輪郭設定された形状を備えてもよい。アウトソールのセグメントは、第1の流体充填セグメントおよび第2の流体充填セグメントのそれぞれの長手方向軸に沿って実質的に平行に延在する一連の溝を画定する地面係合表面を備え得る。いくつかの構成では、第1の流体充填セグメントおよび第2の流体充填セグメントの少なくとも一方が、装着されたアウトソールの各セグメントを支持するリニアリッジを備える。
【００２６】
本開示のさらに別の態様では、アッパーを有するフットウェア製品用のソール構造体が、第1の部分および第2の部分を有する第1の流体充填セグメントを備える。第1の部分は、ソール構造体の内側部およびソール構造体の外側部の一方に沿って延在し、第2の部分は、第1の部分から内側部および外側部の他方に向かって延在する。第2の部分は、内側部と外側部との間の第1の位置にて終端しアッパーに向かう方向にテーパ状をなす遠位端を備える。
【００２７】
いくつかの構成では、第1の流体充填セグメントは、第1の部分から内側部および外側部の他方に向かって延在する第3の部分をさらに備える。第3の部分は、第2の部分と共に収束形状を作ってもよく、内側部と外側部との間の第2の位置にて終端する遠位端を備え得る。第1の位置は、第2の位置とは異なってもよい。いくつかの例では、第2の部分および第3の部分の一方が、第2の部分および第3の部分の他方よりも大きな度合いで内側部および外側部の他方に向かって延在する。この場合に、第2の部分および第3の部分は、それぞれ異なる長さを備える。
【００２８】
いくつかの実装形態では、ソール構造体は、第1の流体充填セグメントに隣接して配設された第2の流体充填セグメントをさらに備え、内側部と外側部との間で延在する第1の部分を備える。これらの実装形態では、第2の流体充填セグメントの第1の部分は、ソール構造体の内側部とソール構造体の外側部との間で連続的に延在し得る。第2の流体充填セグメントの第1の部分および第1の流体充填セグメントの第2の部分は、実質的に相互に平行であり得る。
【００２９】
いくつかの例では、第2の流体充填セグメントは、内側部および外側部の他方に沿って延在する第2の部分と、第2の流体充填セグメントの第2の部分から内側部および外側部の一方に向かって延在する第3の部分とをさらに備える。第2の流体充填セグメントの第2の部分は、内側部と外側部との間の位置にて終端する遠位端を備え得る。遠位端は、アッパーに向かう方向にテーパ状をなし得る。
【００３０】
第1の流体充填セグメントおよび第2の流体充填セグメントは、相互に流体連通状態にあってもよく、フットウェア製品が、このソール構造体を組み込み得る。
【００３１】
本開示のさらに別の態様では、アッパーを有するフットウェア製品用のソール構造体が、第1の部分、第2の部分、および第3の部分を有する第1の流体充填セグメントを備える。第1の部分は、ソール構造体の内側部およびソール構造体の外側部の一方に沿って延在し、第2の部分は、第1の部分から内側部および外側部の他方に向かって延在する。第3の部分は、第1の流体充填セグメントの第1の部分から内側部および外側部の他方に向かって延在し、第2の部分と共に収束形状を作る。
【００３２】
いくつかの実装形態では、第2の部分は、内側部と外側部との間の第1の位置にて終端しアッパーに向かう方向にテーパ状をなす遠位端を備える。追加的にはまたは代替的には、第3の部分は、内側部と外側部との間の第2の位置にて終端する遠位端を備え得る。第1の位置および第2の位置は、それぞれ異なってもよく、第2の部分および第3の部分の一方が、第2の部分および第3の部分の他方よりも大きな度合いで内側部および外側部の他方に向かって延在し得る。また、第2の部分および第3の部分は、それぞれ異なる長さを備え得る。
【００３３】
いくつかの構成では、ソール構造体は、第1の流体充填セグメントに隣接して配設され、ソール構造体の内側部とソール構造体の外側部との間で延在する第1の部分を有する第2の流体充填セグメントをさらに備える。これらの構成では、第2の流体充填セグメントの第1の部分は、ソール構造体の内側部とソール構造体の外側部との間で連続的に延在し得る。また、第2の流体充填セグメントの第1の部分は、第1の流体充填セグメントの第2の部分に対して実質的に平行であってもよい。いくつかの例では、第2の流体充填セグメントは、内側部および外側部の他方に沿って延在する第2の部分と、第2の流体充填セグメントの第2の部分から内側部および外側部の一方に向かって延在する第3の部分とを備える。この場合に、第2の流体充填セグメントの第2の部分は、内側部と外側部との間の位置にて終端する遠位端を備え得る。任意には、第2の部分の遠位端は、アッパーに向かう方向にテーパ状となっていてもよい。
【００３４】
第1の流体充填セグメントおよび第2の流体充填セグメントは、相互に流体連通状態にあってもよい。フットウェア製品が、このソール構造体を組み込み得る。
【００３５】
図1〜図4を参照すると、いくつかの実装形態では、フットウェア製品10が、アッパー100と、アッパー100に装着されたソール構造体200とを備える。フットウェア製品10は、1つまたは複数の領域に区分され得る。これらの領域としては、フォアフット領域12、ミッドフット領域14、およびヒール領域16が含まれ得る。フォアフット領域12は、足指と、足の趾骨に中足骨を連結する関節とに対応し得る。ミッドフット領域14は、足のアーチエリアに対応し、ヒール領域16は、踵骨を含む足の後方部分に対応し得る。フットウェア10は、それぞれフットウェア10の両側部に対応し領域12、14、16を通り延在する外側部18および内側部20を備え得る。
【００３６】
アッパー100は、ソール構造体200上に支持するために足を受け固定するように構成された内空部102を画定する内部表面を備える。ヒール領域16中の足首開口104が、内空部102へのアクセスを与え得る。例えば、足首開口104は、内空部102内に足を固定するように足を受け、内空部102への足の出し入れを容易にし得る。いくつかの例では、1つまたは複数の留め具106が、足の周囲における内空部102のフィット性を調節し内空部102への出し入れに対応するように、アッパー100に沿って延在する。アッパー100は、紐穴などのアパーチャ、および/または留め具106を受ける繊維ループもしくはメッシュループなどの他の係合特徴部を備え得る。留め具106としては、紐、ストラップ、コード、面ファスナー、または任意の他の適切なタイプの留め具が含まれ得る。
【００３７】
アッパー100は、内空部102と留め具106との間で延在する舌状部分(図示せず)を備え得る。アッパー100は、共に縫い付けられてまたは共に接着結合されて内空部102を形成する1つまたは複数の材料から形成され得る。アッパーの適切な材料としては、繊維、発泡体、皮革、および合成皮革が含まれ得るが、これらに限定されない。これらの材料は、耐久性、通気性、耐摩耗性、可撓性、および快適性の特性を与えるように選択および配置され得る。
【００３８】
いくつかの実装形態では、ソール構造体200は、層状構成で構成された、アウトソール210、流体充填チャンバ300、およびストローブル220(図2〜図4)を備える。ソール構造体200(例えばアウトソール210、流体充填チャンバ300、およびストローブル220)は、長手方向軸Lを規定する。例えば、アウトソール210は、フットウェア製品10の使用中に地面に係合し、流体充填チャンバ300は、アウトソール210とアッパー100に装着されるストローブル220との間に配設される。流体充填チャンバ300は、アウトソール210に装着される部分と、ストローブル220に装着される部分と、アッパー100の外辺部に沿って外部表面上において延在する部分とを備え得る。いくつかの例では、ソール構造体200は、ストローブル220の上に配設されアッパー100の内空部102内に位置して足の足裏表面を受けてフットウェア10の快適性を向上させ得る、インソール216(図3および図4)またはソックライナなどの追加層をさらに組み込んでもよい。いくつかの例では、ソール構造体200のヒール部分16およびミッドフット部分14を通り延在するヒールカップ230が、地面反力の最中に足の踵骨を位置合わせし足の踵骨に対して追加的な支持を与えるために、流体充填チャンバ300とストローブル220との間に配設される。
【００３９】
流体充填チャンバ300は、成形プロセスまたは熱成形プロセスの最中に上方バリア層301(以降では「上方層301」)および下方バリア層302(以降では「下方層302」)から形成される。いくつかの例では、上方層301および下方層302は、1つまたは複数のポリマー材料から形成される。上方層301および下方層302は、ソール構造体200の周縁部の周囲にて共に接合されて、フランジ306(図3および図4)を画定する。さらに、上方層301および下方層302は、ソール構造体200の外側部18とソール構造体200の内側部20との間の様々な位置にて共に接合されて、ウェブエリア308(図3および図4)を画定する。
【００４０】
いくつかの実装形態では、流体充填チャンバ300は、フットウェア10の使用中に足に対する緩衝および安定性を与えるために加圧流体(例えば空気)をそれぞれ収容した複数の流体充填セグメント310、320、330、340、350、360、370を備える。流体充填セグメント310〜370は、上方層301および下方層302が相互に分離および離間されるソール構造体200のエリアにおいて形成されて、加圧流体(例えば空気)を封入するためのそれぞれの空部を画定する。そのため、フランジ306およびウェブエリア308は、上方層301および下方層302が接合および結合される流体充填チャンバ300のエリアに対応し、協働して各流体充填セグメント310〜370の外辺部を境界設定および画定する。したがって、流体充填セグメント310〜370は、ソール構造体200の領域12、14、16の中の対応するものの中に配設され、ウェブエリア308により相互に離間され得るが、チャンバ300内に配設された加圧流体が流体充填セグメント310〜370間を流れることが可能になるように相互に流体連通状態にあってもよい。流体充填セグメント310〜370のジオメトリおよび構成は、図9のフットウェア製品10aを参照して示される。他の実装形態では、ポリマー発泡体および/または粒子状物質などの1つまたは複数の緩衝材料が、足に対して緩衝を与えるために加圧流体の代わりにまたは加圧流体に加えて流体充填セグメント310〜370の中の1つまたは複数に封入される。これらの実装形態では、緩衝材料は、荷重印加下において圧縮された場合に軟性タイプの緩衝を与え得る。
【００４１】
各流体充填セグメント310〜370は、チャンバ300の上方層301とチャンバ300の下方層302との間にてソール構造体200の長手方向軸Lに対して実質的に垂直に延在する厚さを規定し得る。換言すれば、各流体充填セグメント310〜370の厚さは、下方層302がアッパー100から離れる方向において上方層301から離れるように突出する距離によって規定される。
【００４２】
流体充填セグメント310〜370の中の少なくとも2つが、異なる厚さを規定し得る。例えば、ヒール領域16内に配設された1つまたは複数の流体充填セグメント310〜370が、フォアフット領域12内に配設された1つまたは複数の流体充填セグメント310〜370に伴う厚さよりも大きな厚さを伴ってもよい。いくつかの実装形態では、流体充填セグメント310〜370の中の1つまたは複数が、それぞれ異なる長さを伴い相互に異なる方向に延在する少なくとも2つの部分を備える。例えば、流体充填セグメント310〜370の中の少なくとも1つが、ソール構造体200の内側部20とソール構造体200の外側部18との間で連続的に延在する部分と、内側部20および外側部18の一方から内側部20と外側部18との間の位置にて終端する遠位端5まで延在する別の部分とを備える。さらに、流体充填セグメント310〜370の中の少なくとも1つが、ソール構造体200の外側部18およびソール構造体200の内側部20の一方に沿って延在する部分と、内側部20および外側部18の一方から内側部20と外側部18との間の位置にて終端する遠位端5まで延在する別の部分とを備えてもよい。これらの部分の遠位端5は、ソール構造体200の外側部18とソール構造体200の内側部20との間のそれぞれ異なる位置にて終端し得る。これらの部分の遠位端5の中の少なくとも1つが、アッパー100の方向にテーパ状をなす厚さを伴い得る。さらに、流体充填セグメント310〜370の中の少なくとも2つについて内側部20と外側部18との間の各位置にて終端する部分は、相互に平行であってもまたは収束形状を作ってもよい。いくつかの実装形態では、流体充填セグメント310〜370の中の少なくとも1つが、3つ以上の部分を備え、それらの部分の中の2つがそれぞれ、内側部20および外側部18の一方から、内側部20と外側部18との間にてそれぞれの異なる位置にて終端する各遠位端5まで延在する。これらの実装形態では、内側部20と外側部18との間の各位置にて終端する流体充填セグメント310〜370の部分が、相互に平行であってもまたは収束形状を作ってもよい。
【００４３】
いくつかの実装形態では、流体充填セグメント310〜370の中の1つまたは複数が、内側方向への少なくとも1つの屈曲部3(図9)および/または外側方向への少なくとも1つの屈曲部3を備える。さらに、流体充填セグメントの中の1つまたは複数が、ヒール領域16から離れる第1の方向におよびソール構造体200の長手方向軸Lに沿って少なくとも1つの屈曲部3ならびに/またはソール構造体200のヒール領域16に向かう第2の対向方向に少なくとも1つの屈曲部3を備える。
【００４４】
流体充填セグメント310〜370は、協働することにより従来のミッドソールが実現する機能および緩衝特徴を強化する一方で、同時にフットウェア10の使用中のソール構造体200に対する各荷重印加間の方向シフトの最中に足に対する安定性および支持の向上をもたらし得る。例えば、歩行動作または走行動作などの前方移動中にソール構造体200に対して印加される荷重の方向は、シフト動作またはカッティング動作などの側方移動中にソール構造体200に対して印加される荷重の方向とは異なる。ソール構造体200に対して現時点において印加されている荷重の所与の方向について、流体充填セグメント310〜370の中のいくつかは、圧縮することにより足に対して応答タイプの緩衝を与えて地面反力を減衰し得る一方で、他の流体充填セグメント310〜370は、それらの形状を保持することによりソール構造体200に対する足の移動を防止する安定性および支持特徴をもたらし、それにより後の前方移動または側方移動の実行のために最適位置に足を保持し得る。さらに、ソール構造体200に沿った流体充填セグメント310〜370(図9)のジオメトリおよび位置は、前方移動中にはアウトソール210がヒール領域16からフォアフット領域12にかけて地面と係合するためにローリングすることにより、および側方移動中にはアウトソール210が外側部18および内側部20の一方から外側部18および内側部20の他方にかけて地面と係合するためにローリングすることにより、アウトソール210と地面との間の静止摩擦を強化し得る。
【００４５】
図2は、図1のフットウェア製品10の分解図を示す。ストローブル220は、底部表面222と、底部表面222とは反対側のストローブル220上に配設されたフットベッド224とを備え得る。ステッチ226または接着剤が、アッパー100に対してストローブル220を固定し得る。フットベッド224は、足の底面(例えば足裏)のプロファイルに形状合致するように輪郭設定され得る。いくつかの例では、インソール216またはソックライナ(図3および図4に図示)が、アッパー100の内空部102の少なくとも一部分内において足の下方のフットベッド224上に配設され得る。底部表面222は、ソール構造体200のヒール領域16およびミッドフット領域14においてヒールカップ230に対向し、ソール構造体200のフォアフット領域12において流体充填チャンバ300の上方層301に対向し得る。
【００４６】
いくつかの実装形態では、ヒールカップ230は、ストローブル220の底部表面222と流体充填チャンバ300の上方層301との間に配設され、ソール構造体200のヒール領域16およびミッドフット領域14を通り延在する。ヒールカップ230は、アッパー100の外方周縁部上およびその周囲に延在する外部表面を備え得る。ヒールカップ230は、足の踵骨のプロファイルに形状合致するように輪郭設定され、ソール構造体200のヒール領域16が最初に地面に衝突し、アウトソール210が足尖離地前に領域16、14、12を介した地面との係合のためにローリングする際に、中立的な足の歩行周期を助長する。
【００４７】
流体充填チャンバ300の上方層301は、ヒール領域16およびミッドフット領域14においてヒールカップ230に対向し装着され、フォアフット領域12においてストローブル220の底部表面222に対向し装着される。上方層301は、成形プロセスまたは熱成形プロセスの最中に1つまたは複数のポリマー材料から形成され、ヒールカップ230および/またはアッパー100の外方周縁部上において上方に延在する外方周縁エッジを備え得る。
【００４８】
流体充填チャンバ300の下方層302は、アッパー100とは反対側の流体充填チャンバ300の上方層301上に配設される。上方層301と同様に、下方層302は、成形プロセスまたは熱成形プロセスの最中に同一のまたは異なる1つまたは複数のポリマー材料から形成され得る。下方層302は、アッパー100に向かって上方に延在し上方層301の外方周縁エッジに接合してフランジ306を形成する、外方周縁エッジを備え得る。いくつかの実装形態では、下方層302は、複数の流体充填セグメント310〜370のジオメトリ(例えば厚さ、幅、および長さ)を規定する。下方層302および上方層301は、流体充填チャンバ300の外側部18と内側部20との間の複数の個別のエリアにて共に接合して、各流体充填セグメント310〜370を境界設定し分離させるウェブエリア308の部分を形成する。したがって、各流体充填セグメント310〜370は、上方層301および下方層302が共に接合されずしたがって相互に分離されて各流体充填セグメント310〜370に関連付けられた各空部を形成する流体充填チャンバ300のエリアに関連付けられる。いくつかの実装形態では、接着剤結合により、上方層301および下方層302が接合されて、フランジ306およびウェブエリア308を形成する。他の実装形態では、上方層301および下方層302は、熱的接着により接合されてフランジ306およびウェブエリア308を形成する。
【００４９】
いくつかの実装形態では、上方層301および下方層302は、それぞれの成形部分により形成され、これらの成形部分はそれぞれ、様々な表面を画定し、それにより流体充填セグメント310〜370に関連付けられたくぼみを画定し、導管が流体充填セグメント310〜370を流体結合する。また、これらの成形部分はそれぞれ、ピンチ加工表面を画定し、それにより下方層302および上方層301が共に接合および結合されるときにフランジ306が形成される位置を画定する。いくつかの例では、上方層301および下方層302の一方または両方が、形状設定および結合を助長する温度まで加熱される。いくつかの例では、層301および/または302は、それらの各型間に配置される前に加熱される。他の例では、型が、層301および/または302の温度を上昇させるために加熱され得る。いくつかの実装形態では、流体充填チャンバ300を形成するために利用される成形プロセスは、上方層301および下方層302がそれぞれの型部分と接触状態へと引っ張られるように空気を除去するために、型部分内に真空ポートを組み込む。他の実装形態では、空気などの流体が、圧力上昇により層301および302がそれぞれの型部分の表面と係合されるように、上方層301と下方層302との間のエリアに注入され得る。
【００５０】
ヒール領域16およびミッドフット領域14における流体充填セグメント330、340、350、360、370の厚さは、アウトソール210が地面と係合するためにローリングする際に、最初はヒール領域16において発生し徐々に低下するより大きな地面反力を吸収するためにより高い緩衝度を実現すべく、フォアフット領域12における流体充填セグメント310、320、330、340の厚さよりも大きくてもよい。図9のフットウェア製品10aを参照すると、いくつかの例では、流体充填セグメント340は、ヒール領域16とフォアフット領域12との間で、ソール構造体200の外側部18からソール構造体200の内側部20まで延在し、流体充填セグメント330は、ヒール領域16とフォアフット領域12との間で、ソール構造体200の内側部20からソール構造体200の外側部18まで延在する。これらの例では、流体充填セグメント340は、ミッドフット領域14にわたり外側部18から内側部20まで連続的に延在し、ミッドフット領域14においては流体充填セグメント330と交差する。いくつかの実装形態では、オーバーモールド成形部分304が、ヒール領域16およびミッドフット領域14内に位置する流体充填セグメント330〜370を部分的に画定する下方層302のエリアに装着されて、荷重印加下にある場合に流体充填チャンバ300に高い耐久性および弾性を与える。したがって、オーバーモールド成形部分304は、それぞれの流体充填セグメント330〜370の形状に合致する形状をそれぞれが画定した複数の個別のセグメントを備えてもよく、それによりオーバーモールド成形部分304は、下方層302が上方層301に接合するフランジ306およびウェブエリア308には存在しない。流体充填セグメント330および340が、ミッドフット領域14を通りフォアフット領域12中へと延在し得ることにより、オーバーモールド成形部分304は、ミッドフット領域14内に位置する流体充填セグメント330および340のエリアのみに装着され得る一方で、オーバーモールド成形部分304は、フォアフット領域12中に延在する残りのエリアには存在しない。いくつかの例では、オーバーモールド成形部分304は、下方層302よりも大きな厚さを備える。オーバーモールド成形部分304は、流体充填チャンバ300の上方層301および下方層302のそれぞれを形成する1つまたは複数のポリマー材料と同一であり得るまたは異なり得る1つまたは複数のポリマー材料から形成される。追加的にはまたは代替的には、オーバーモールド成形部分304は、下方層302および/または上方層301を形成する1つまたは複数の材料よりも高い剛性を備え得る。オーバーモールド成形部分304は、成形プロセスまたは熱成形プロセスの最中に形成され、下方層302および上方層301が(例えばフランジ306およびウェブエリア308にて)共に接合されるときに下方層302のそれぞれの部分に接合されて、流体充填セグメント310〜370を形成し得る。
【００５１】
いくつかの例では、アウトソール210は、地面係合表面212と、反対側の内方表面214とを備え、この内方表面214は、オーバーモールド成形部分304と、オーバーモールド成形部分304が存在しない、流体充填セグメント310〜340を画定する下方層302のエリアとに装着される。したがって、オーバーモールド成形部分304と同様に、アウトソール210は、各流体充填セグメント310〜370の形状に合致する形状をそれぞれが画定する複数の別個のセグメントを備えてもよく、それによりアウトソール210は、流体充填セグメント310〜370間の領域には存在せず、それによって流体充填チャンバ300のフランジ306およびウェブエリア308を露出させる。アウトソール210は、一般的には耐摩耗性および地面との静止摩擦をもたらし、耐久性および耐摩耗性を与え地面との静止摩擦を強化する1つまたは複数の材料から形成され得る。例えば、ゴムが、アウトソール210の少なくとも一部分を形成してもよい。地面係合表面212は、流体充填セグメント310〜370の長さ方向に沿って平行に延在する複数の溝を画定してもよい。例えば、図14は、流体充填セグメント320に装着されたアウトソール210と、流体充填セグメント320の各部分321、322、323の長手方向軸に対して平行におよび沿って延在する、地面係合表面212上に形成された複数の溝215とを示す。
【００５２】
図3は、上方層301と協働して流体充填セグメント360および350を画定する下方層302のエリアに装着されたオーバーモールド成形部分304を示す、図1の線3-3に沿った断面図を示す。ストローブル220は、ステッチ226または他の固定技術を介してアッパー100に固定される一方で、インソール216またはソックライナは、内空部102内でストローブル220のフットベッド224上に載置され、ヒールカップ230は、ストローブル220の底部表面222と流体充填チャンバ300の上方層301との間に配設される。いくつかの例では、ヒールカップ230は、ストローブル220の底部表面222に接着結合され、アッパー100の周縁部表面上に延在する周縁エッジを備える。図3は、ヒールカップ230に装着され、アッパー100に向かって延在する周縁エッジを有し、下方層302の周縁エッジに接合して流体充填チャンバ300の外辺部の周囲にフランジ306を形成する上方層301を示す。
【００５３】
また、下方層302は、アッパー100に向かって延在し、上方層301と接合して外側部18と内側部20との間にウェブエリア308の2つの領域を形成することにより、内側部20に沿った流体充填セグメント350の部分が、内側部20およびウェブエリア308の領域の中の一方にてフランジ306により境界設定され、外側部18に沿った流体充填セグメント350の別の部分が、外側部18およびウェブエリア308の領域の中の他方にてフランジ306により境界設定される。さらに、外側部18と内側部20との間で延在する流体充填セグメント360が、ウェブエリア308のこれらの2つの領域により境界設定される。いくつかの例では、流体充填セグメント350は、外側部18および内側部20に沿ってアッパー100から外方に突出する。上方層301は、フットウェア10の使用中に足の形状に対して合致するようにほぼ凹状であり丸みをつけられるが、下方層302は、フランジ306およびウェブエリア308から離れるように延在または突出する流体充填セグメント350および360を有してより輪郭設定される。したがって、流体充填セグメント350および360ならびに他の流体充填セグメント310〜340および370は、アッパー100から離れるようにおよびアウトソール210に向かって突出して、ソール構造体200に独立した支持部および緩衝要素を形成する。いくつかの実装形態では、全体として流体充填チャンバ300に関連付けられる流体充填セグメント310〜370の全てが相互に流体連通状態になるように、隣接し合う流体充填セグメント310〜370が相互に流体連通状態にある。
【００５４】
さらに、オーバーモールド成形部分304は、流体充填セグメント350および360が、ソール構造体200のヒール領域16におけるより大きな厚さを伴う流体充填セグメント350および360に対して高い耐久性および弾性を与えるために形成される領域において、下方層302の一部分に対して装着される。より具体的には、オーバーモールド成形部分304は、流体充填セグメント310〜370の丸み表面に合わせて輪郭設定される。いくつかの例では、流体充填チャンバ300の下方層302は、オーバーモールド成形部分304が装着される部分に沿って薄い厚さを備えるように形成される。アウトソール210の内方表面214は、オーバーモールド成形部分304に装着される。いくつかの実装形態では、外側部18に沿って延在する流体充填セグメント350の部分と、内側部20に沿って延在する流体充填セグメント350の他の部分とがそれぞれ、図3の図面に関して半チューブ状断面形状を備え、それにより側方移動中におけるソール構造体200の内方および/または外方へのローリングを助長する。
【００５５】
いくつかの例では、外側部18および内側部20のそれぞれに沿って延在する流体充填セグメント350の各部分が、上方層301と下方層302との間の流体充填セグメント360に伴う厚さよりも大きな厚さ(例えば上方層301と下方層302との間の離間距離)を伴う。外側部18および内側部20に沿ったより大きな厚さの流体充填セグメント350を組み込むことにより、流体充填セグメント350は、地面反力の初期衝撃を吸収し、それにより地面反力が外側部18と内側部20との間でヒール領域16の中心にて流体充填セグメント360に印加される前に圧縮されることが可能となり、それにより流体充填セグメント350および360が連続的に圧縮されるとトランポリン効果が生じ、それによってヒール領域16において勾配的応答タイプ緩衝がもたらされる。
【００５６】
流体充填セグメント350および360はそれぞれ、内部に加圧流体(例えば空気)を収容する。いくつかの実装形態では、導管が、流体充填セグメント350と360との間に流体連通を与える。他の導管が、他の流体充填セグメント310〜340および370の中の1つまたは複数の間に流体連通を与えてもよい。いくつかの例では、1つまたは複数の導管が、流体充填セグメント310〜370の中の1つの中の加圧流体を流体充填セグメントの中の他の1つから隔離するために存在せず、それによって流体が別様に加圧され得るようにしてもよい。
【００５７】
図4は、図3の層状構成で構成されたストローブル220、アッパー100、ヒールカップ230、および上方層301を示す、図1の線4-4に沿った断面図を示す。しかし、図4は、フランジ306およびウェブエリア308がソール構造体200の外側部18から内側部20まで均一にかつ連続的に延在するソール構造体200の領域を示す。いくつかの例では、図3の流体充填セグメント350は、外側部18に沿って流体充填セグメント340と流体連通状態にある。追加的にはまたは代替的には、図3の流体充填セグメント350は、内側部20に沿って流体充填セグメント330と流体連通状態にあってもよい。さらに、流体充填セグメント370は、流体充填セグメント330および340の一方または両方と流体連通状態にあってもよい。
【００５８】
いくつかの例では、内側部20および外側部18のそれぞれに沿って延在する流体充填セグメント330および340は、上方層301と下方層302との間の流体充填セグメント370に伴う厚さよりも大きな厚さ(例えば上方層301と下方層302との間の離間距離)を伴う。図3の流体充填セグメント350と同様に、外側部18および内側部20におけるより大きな厚さにより、流体充填セグメント330および340は、地面反力の初期衝撃を吸収し、それにより地面反力が外側部18と内側部20との間で流体充填セグメント370に印加される前に圧縮されることが可能となり、それにより流体充填セグメント370が流体充填セグメント330および340に続いて圧縮されるとトランポリン効果が生じ、それによって勾配的応答タイプ緩衝がもたらされる。いくつかの例では、流体充填セグメント340は、外側部18から内側部20まで延在し、流体充填セグメント330の厚さよりも大きな厚さを伴うことにより、足のアーチの湾曲状プロファイルに対応する。このようにすることで、流体充填セグメント340のこの大きな厚さは、アウトソール210が地面に係合するためにローリングする際に足の過剰な回内または回外を防止することにより足の自然な歩行周期を助長するために、足のアーチの湾曲に倣ったものであってもよい。
【００５９】
アウトソール210は、流体充填セグメント310〜370の中の1つまたは複数に装着され、それらと形状的に合致する。いくつかの例では、流体充填セグメント310〜370の中の少なくとも1つが、その長さ方向に沿って延在するリニアリッジを画定し、このリニアリッジは、アウトソール210の各セグメントを受け支持するように構成される。また、図4は、各セグメント310〜370の長さ方向に沿って平行に延在して地面との静止摩擦を強化する一連の溝215(図14を参照)を備えるアウトソール210の地面係合表面212を示す。流体充填セグメント330、340、370のそれぞれに装着された(オーバーモールド成形部分304を介して)アウトソール210の各セグメントは、対応する流体充填セグメント330、340、370の長さ方向に沿って平行に延在するそれぞれの一連の溝を備える。したがって、流体充填セグメント370が、その長さ方向において、図4の断面図に関して流体充填セグメント330および340のそれぞれの長さ方向に沿ったそれぞれに対して実質的に垂直であることにより、流体充填セグメント370に装着されたアウトソール210のセグメントの地面係合表面212上に形成された一連の溝は、流体充填セグメント330および340のそれぞれに装着されたアウトソール210のセグメントの地面係合表面212上に形成された一連の溝と共に収束形状を作る。いくつかの実装形態では、外側部18における流体充填セグメント340および内側部20における流体充填セグメント330がそれぞれ、図4の図面に関して半チューブ状断面形状を備え、それにより側方移動中におけるソール構造体200の内方および/または外方へのローリングを助長する。
【００６０】
図5〜図17を参照すると、フットウェア製品10aが提示され、このフットウェア製品10aは、アッパー100aと、アッパー100aに装着されたソール構造体200aとを備える。フットウェア製品10aに対する、フットウェア製品10の構成要素の構造および機能における実質的類似性を鑑みて、以降ではおよび図面においては、同様の参照数字が、同様の構成要素を特定するために使用され、一方で接尾文字を含む同様の参照数字が、修正がなされた構成要素を特定するために使用される。
【００６１】
アッパー100aは、内空部102を画定し、耐久性、通気性、耐摩耗性、可撓性、および快適性の特性を与えるために、1つまたは複数の材料から形成され得る。いくつかの実装形態では、ソール構造体200aは、層状構成で構成されたならびフォアフット領域12、ミッドフット領域14、およびヒール領域16を通り延在する長手方向軸Lを規定する、ストローブル220a、ミッドソール240、流体充填チャンバ300a、およびアウトソール210を備える。ストローブル220aは、内空部102に対向しインソール216またはソックライナを受けるフットベッド224と、フットベッド224とは反対側のストローブル220a上に配設されミッドソール240に対向する底部表面222aとを備える。
【００６２】
いくつかの実装形態では、ミッドソール240は、ストローブル220aの底部表面222aと流体充填チャンバ300aの上方層301aとの間に配設される。より具体的には、ミッドソール240は、底部表面242と、底部表面242とは反対側のミッドソール240上に配設された頂部表面244とを備える。ミッドソールの頂部表面244は、ストローブル220aの底部表面222aに接合され、またアッパー100の周縁部表面の周囲に延在しこの周縁部表面に接合する。ミッドソール240の底部表面242は、流体充填チャンバ300aの上方表面301aに接合する。図1〜図4のフットウェア10の流体充填チャンバ300の上方層301は、フォアフット領域12においてアッパー100にならびにミッドフット領域14およびヒール領域16においてヒールカップ230に直接接合するが、ミッドソール240は、ストローブル220aのアッパー100aおよび/または底部表面222aにミッドソール240の頂部表面244を接合し、流体充填チャンバ300の上方層301aに対して底部表面242を接合することにより、アッパー100aに対して流体充填チャンバ300の上方層301aを間接的に装着するための中間層として動作することによって、アッパー100aにソール構造体200a(例えばアウトソール210、流体充填チャンバ300、およびミッドソール240)を固定する。また、図1〜図4の上方層301とは対照的に、フットウェア10aのミッドソール240は、上方層301aがアッパー100aの周縁部表面上に延在する度合いを低下させ、したがってフットウェア10aの長期使用にわたりアッパー100aから上方層301aが外れてしまう可能性を低減させることによりフットウェア10aの耐久性を上昇させる。
【００６３】
さらに、ミッドソール240は、足に対して緩衝および支持を与えるために、足の底面のプロファイルに合致するように輪郭設定され得る。いくつかの例では、ミッドソール240は、地面反力を減衰することにより足に緩衝を与えるために、荷重印加下において弾性的に圧縮される1つまたは複数のポリマー発泡体材料のスラブから形成される。いくつかの実装形態では、荷重印加下における流体充填チャンバ300aの複数の流体充填セグメント310〜370の圧縮性により、応答タイプの緩衝が実現され、荷重印加下におけるミッドソール240の圧縮性により、軟性タイプの緩衝が実現される。したがって、流体充填セグメント310〜370およびミッドソール240は、協働することにより、印加荷重が変化するにつれて変化する勾配的緩衝をフットウェア製品10aに対して与え得る(すなわち荷重がより高くなると、流体充填セグメント310〜370がより圧縮され、したがってフットウェア10aがより応答的に機能する)。
【００６４】
流体充填チャンバ300は、成形または熱成形の最中に上方層301aおよび下方層302から形成される。上方層301aおよび下方層302は、同一のまたは異なる1つまたは複数のポリマー材料から形成され、ソール構造体200aの外主部の周囲にて共に接合されてフランジ306を画定し得る。さらに、上方層301aおよび下方層302は、ソール構造体200aの外側部18とソール構造体200aの内側部との間の様々な位置にて共に接合されてウェブエリア308を画定する。図1〜図4のフットウェア10と同様にして、ウェブエリア308は、複数の流体充填セグメント310〜370間において延在し、流体充填セグメント310〜370はそれぞれ、加圧流体(例えば空気)を収容し、上方層301aおよび下方層302が相互に分離および離間されて加圧流体(例えば空気)を封入するための各空部を画定するソール構造体200aのエリア内に形成される。そのため、フランジ306およびウェブエリア308は、上方層301aおよび下方層302が接合され協働することにより各流体充填セグメント310〜370の外辺部を境界設定および画定することによって内部に加圧流体を封止する、流体充填チャンバ300aのエリアに対応する。
【００６５】
図1〜図4のフットウェア10を参照して上述したように、および図9を参照して以下でさらに詳細に説明するように、流体充填セグメント310〜370の中の1つまたは複数が、内方に、外方に、ソール構造体200aの長手方向軸Lに沿ってヒール領域16から離れる第1の方向に、または構造体200aのヒール領域16から離れるように反対側の第2の方向に延在し得る、少なくとも1つの屈曲部3を備える。流体充填セグメント310〜370の圧縮性により、荷重印加下にある場合に応答タイプの緩衝が実現され、一方でセグメント310〜370に対して作用するせん断力により、セグメント310〜370はそれらの形状を保持して足に高い安定性および支持を与える。したがって、現時点において所与方向の荷重がソール構造体200aに対して印加されている場合には、流体充填セグメント310〜370の中のいくつかは、圧縮されることにより地面反力を減衰するように足に応答タイプの緩衝を与え得る一方で、せん断力が、他の流体充填セグメント310〜370に対して印加されることにより、これらのセグメントは、その形状を保持して足がソール構造体200aに対して移動するのを防止することによって安定性特徴を与え、それにより後の前方移動または側方移動の実行のために最適位置に足を維持する。さらに、ソール構造体200aに沿った流体充填セグメント310〜370のジオメトリおよび位置は、アウトソール210が地面との係合のためにローリングする際に、前方移動および側方移動の両方の最中におけるアウトソール210と地面との間の静止摩擦を強化し得る。
【００６６】
図6は、図5のフットウェア製品10aの分解図を示す。ストローブル220aは、ステッチ226または接着剤によりアッパー100aに固定され、内空部102の反対側のフットベッド224と、フットベッド224とは反対側のストローブル220a上に配設されミッドソール240の頂部表面244に対向する底部表面222aとを備える。ミッドソール240は、フォアフット領域12、ミッドフット領域14、およびヒール領域16を通りソール構造体200aの長手方向軸Lに沿って延在する長さと、ソール構造体200aの外側部18とソール構造体200aの内側部20との間で延在する幅と規定し得る。
【００６７】
ミッドソール240の頂部表面244は、ストローブル220aの底部表面222aと接合し、アッパー100aの周縁部表面上に延在する一方で、ミッドソール240の底部表面242は、流体充填チャンバ300aの上方層301aに接合する。接着剤または他の結合技術が、アッパー100aおよび上方層301aにミッドソール240を接合して、それによりアッパー100aに対して流体充填チャンバ300aを装着および固定するために使用されてもよい。
【００６８】
流体充填チャンバ300aの上方層301aは、ミッドソール240の底部表面242に対向し装着される(例えば接合される)。図1〜図4の上方層301と同様に、上方層301aは、成形プロセスまたは熱成形プロセスの最中に1つまたは複数のポリマー材料から形成され、ミッドソール240の外方周縁部上において上方に延在する外方周縁エッジを備え得る。いくつかの例では、フォアフット領域12における上方層301aの外方周縁エッジのいくつかの部分が、ミッドソール240を越えてアッパー100aの周縁部表面上まで延在する。
【００６９】
流体充填チャンバ300aの下方層302は、ミッドソール240とは反対側の上方層301a上に配設され、アッパー100aに向かって上方に延在し上方層301aの外方周縁エッジと接合してフランジ306を形成する外方周縁エッジを備える。いくつかの実装形態では、下方層302は、複数の流体充填セグメント310〜370のジオメトリ(例えば厚さ/長さ/幅)を規定する。下方層302および上方層301aは、流体充填チャンバ300aの外側部18と内側部20との間の複数の別個のエリアにて共に接合して、各流体充填セグメント310〜370を境界設定し分離させるウェブエリア308のいくつかの部分を形成し得る。したがって、各流体充填セグメント310〜370は、上方層301aおよび下方層302が共に接合されない流体充填チャンバ300aのエリアに関連付けられ、およびしたがって相互に分離されて各流体充填セグメント310〜370に関連付けられた各空部を上方層301aと下方層302との間に形成する。いくつかの実装形態では、接着剤結合により、上方層301aおよび下方層302が接合されて、フランジ306およびウェブエリア308を形成する。他の実装形態では、上方層301aおよび下方層302は、熱結合により接合されてフランジ306およびウェブエリア308を形成する。
【００７０】
図1〜図4のフットウェア10を参照して上述したように、流体充填チャンバ300により画定される流体充填セグメント310〜370は、フォアフット領域12における厚さよりも大きな厚さ(例えば上方層301aと下方層302との間の分離距離)をヒール領域16およびミッドフット領域14において伴う。そのため、オーバーモールド成形部分304は、ソール構造体200aのヒール領域16およびミッドフット領域14を通り延在する流体充填セグメントを部分的に画定する下方層302のエリアに装着されて、荷重印加下において流体充填チャンバ300が圧縮されることにより高い耐久性および弾性をもたらす。オーバーモールド成形部分304は、ヒール領域16およびミッドフット領域14においてそれぞれの流体充填セグメント330〜370に形状合致する形状をそれぞれが画定する複数の別個のセグメントを備え、そのため、オーバーモールド成形部分304は、下方層302が上方層301aに接合するフランジ306およびウェブエリア308には存在しない。いくつかの例では、オーバーモールド成形部分304は、流体充填チャンバの下方層302および上方層301aよりも大きな厚さを備え、任意には下方層302および/または上方層301aを形成する1つまたは複数の材料よりも高い剛性を備え得る。オーバーモールド成形部分304は、成形プロセスまたは熱成形プロセスの最中に形成され、下方層302および上方層301aが共に接合される(例えばフランジ306およびウェブエリア308にて)場合に下方層302のそれぞれの部分に接合されて流体充填セグメント310〜370を形成し得る。
【００７１】
アウトソール210は、地面係合表面212と、オーバーモールド成形部分304およびオーバーモールド成形部分304が存在しない流体充填セグメント310〜340を画定する下方層302のエリアに装着される反対側内方表面214とを備え得る。したがって、アウトソール210は、それぞれの流体充填セグメント310〜370の形状に合致する形状をそれぞれが画定する複数の別個のセグメントを備えてもよく、そのため、アウトソール210は、流体充填セグメント310〜370間の領域には存在せず、それにより流体充填チャンバ300のフランジ306およびウェブエリア308を露出させる。アウトソール210は、一般的には耐摩耗性および地面との静止摩擦をもたらし、耐久性および耐摩耗性を与え地面との静止摩擦を強化する1つまたは複数の材料から形成され得る。例えば、ゴムが、アウトソール210の少なくとも一部分を形成してもよい。図9、図14、および図16に示すように、地面係合表面212は、流体充填セグメント310〜370の長さ方向に沿って相互に平行に延在する複数の溝215を画定し得る。
【００７２】
図7は、上方層301aと協働して流体充填セグメント330および350を画定する下方層302のエリアに装着されたオーバーモールド成形部分304を示す、図5の線7-7に沿った断面図を示す。ストローブル220aは、ステッチ226または他の固定技術によりアッパー100に固定され、一方でインソール216またはソックライナは、内空部102内においてストローブル220aのフットベッド224上に載置される。図3および図4に示すフットウェア10のヒールカップ230に装着されたストローブル220の底部表面222とは対照的に、ストローブル220aの底部表面222aは、ミッドソール240の頂部表面244に装着され、さらに一方でミッドソール240の周縁エッジが、アッパー100aの周縁部表面上に延在しそれに装着される。図7は、ミッドソール240の底部表面242に装着され、アッパー100aに向かって延在し下方層302の周縁エッジに接合して流体充填チャンバ300の外辺部の周囲にフランジ306を形成する周縁エッジを有する、上方層301aを示す。図3のフットウェア10を参照して上述したように、下方層302は、アッパー100aに向かって延在し、上方層301aに接合して外側部18のフランジ306と内側部20との間にウェブエリア308の2つの領域を形成することにより、上方層301aと下方層302との間に配設された流体充填セグメント350および流体充填セグメント360の部分を画定および境界設定し得る。
【００７３】
図3のフットウェア10を参照して上述したように、オーバーモールド成形部分304は、流体充填セグメント350および360がアッパー100aから離れるようにおよびアウトソール210に向かって突出する領域において下方層302のいくつかの部分に装着されて、より大きな厚さを伴うヒール領域16における流体充填セグメント350および360に高い耐久性および弾性を与える。いくつかの例では、流体充填チャンバ300aの下方層302は、オーバーモールド成形部分304が装着される部分に沿って薄い厚さを備えるように形成される。アウトソール210の内方表面214は、オーバーモールド成形部分304に装着される。いくつかの実装形態では、外側部18に沿って延在する流体充填セグメント350の部分と内側部20に沿って延在する流体充填セグメント350の他の部分とがそれぞれ、側方移動中におけるソール構造体200の内方および/または外方へのローリングを助長するように、図7の図面に関して半チューブ状断面形状を備える一方で、外側部18と内側部20との間に配設された流体充填セグメント350は、薄い厚さを備えてもよく、それにより流体充填セグメント350は、地面反力の初期衝撃を吸収し、それにより地面反力がヒール領域16の中心において流体充填セグメント360に対して印加される前に圧縮されることが可能となり、それによって流体充填セグメント350、360が連続的に圧縮されるとトランポリン効果が生じ、それによってヒール領域16に勾配的応答タイプ緩衝がもたらされる。加圧流体(例えば空気)をそれぞれ収容する流体充填セグメント350および360は、1つまたは複数の導管を介して流体連通状態にあってもよい。任意には、1つまたは複数の導管が、流体充填セグメント350および360の一方または両方において加圧流体を隔離するために存在しなくてもよい。
【００７４】
図8は、図7を参照して上述したような層状構成で構成されたストローブル220a、アッパー100a、ミッドソール240、および上方層301aを示す、図5の線8-8に沿った断面図を示す。しかし、ウェブエリア308およびフランジ306は、図8の図面に関してソール構造体200aの外側部18から内側部まで均一におよび連続的に延在する。図4を参照して上述したように、流体充填セグメント310〜370の中のいくつかまたは全てが、1つまたは複数の導管を介して相互に流体連通状態にあってもよい。いくつかの構成では、隣接し合う流体充填セグメント310〜370は、相互に直接流体連通状態にある。
【００７５】
図7の流体充填セグメント350と同様に、外側部18および内側部20におけるより大きな厚さにより、流体充填セグメント330および340は、地面反力の初期衝撃を吸収し、それにより地面反力が外側部18と内側部20との間にて中心に位置する流体充填セグメント370に対して印加される前に圧縮されることが可能となり、それによって流体充填セグメント370が流体充填セグメント330および340に続いて圧縮されるとトランポリン効果が生じ、それによって勾配的応答タイプ緩衝がもたらされる。
【００７６】
アウトソール210は、流体充填セグメント310〜370の中の1つまたは複数に装着され、それらと形状的に合致する。いくつかの例では、流体充填セグメント310〜370の中の少なくとも1つが、アウトソール210のそれぞれのセグメントを受けるように構成された、長さ方向に延在するリニアリッジを画定する。また、図8は、流体充填セグメント310〜370のそれぞれの長さ方向に沿って平行に延在する一連の溝215(図14を参照)を備えることにより地面との静止摩擦を強化する、アウトソール210の地面係合表面212を示す。いくつかの実装形態では、外側部18の流体充填セグメント340および内側部20の流体充填セグメント330はそれぞれ、図8の図面に関して半チューブ状断面形状を備え、それにより側方移動中におけるソール構造体200の内方および/または外方へのローリングを助長する。
【００７７】
図9は、ソール構造体200a内に配設された複数の流体充填セグメント310〜370のそれぞれのジオメトリおよび位置を示す、図5のフットウェア製品10aの下方斜視図を示す。図9は、図1〜図4のフットウェア製品10により組み込まれた流体充填セグメント310〜370のジオメトリおよび位置を同様に示し、同様の数字は同様の特徴を示す。下方層302および上方層301aは、共に接合され、複数の別個の位置にて結合して、ソール構造体200aの周縁部の周囲に延在するフランジ306と、ソール構造体200aの外側部18と内側部20との間で延在するウェブエリア308とを形成する。フランジ306およびウェブエリア308は、協働して各流体充填セグメント310〜370を境界設定し各流体充填セグメント310〜370の周囲に延在することにより、セグメント310〜370内に流体(例えば空気)を封止する。したがって、ウェブエリア308は、各流体充填セグメント310〜370を相互に分離させるおよび各流体充填セグメントの各部分を他の部分から分離させる、分離距離を規定する。いくつかの例では、この分離距離は、少なくとも6ミリメートル(mm)である。いくつかの構成では、ウェブエリア308の領域は、アウトソール210が地面と係合するためにローリングする際のフットウェア10aの撓曲を助長するための撓曲ゾーンを画定する。
【００７８】
いくつかの例では、流体充填セグメント310〜370は、ある流体充填セグメントを別の流体充填セグメントにそれぞれ流体連通する導管9を介して相互に流体連通状態にある。任意には、1つまたは複数の導管9が、セグメント310〜370の中の少なくとも1つの中の流体をセグメント310〜370の中の別の1つの中の流体から隔離するために省かれてもよく、それによりセグメント310〜370の中の少なくとも1つが、別個に加圧され得る。いくつかの構成では、流体充填セグメント310〜370のジオメトリおよび位置が協働することにより、荷重印加下にある場合にセグメント310〜370内に流体を送る圧力システムを流体充填チャンバ300aに対して与え、この圧力システムは、セグメント310〜370が圧縮または拡張されてフットウェア10、10aの前方移動および/または側方移動の最中に地面反力を減衰することにより緩衝と安定性および支持とをもたらす。
【００７９】
ソール構造体200aのヒール領域16内にまたはヒール領域16に隣接して配設された流体充填セグメント350、360、370を例外として、各流体充填セグメント310〜340は、各流体充填セグメント310〜340の2つの部分をそれぞれ連結する1つまたは複数の屈曲部3または屈折部を備え、それにより、対応する屈曲部3により連結される部分のそれぞれが、相互に異なる方向に延在し、任意には相互に異なる長さを備え得る。そのため、各セグメント310〜340は、一対の端部間にわたり延在し、それらの端部間に1つまたは複数の屈曲部3または角部を有する形状を画定する。例えば、セグメント310〜340は、S字形状、7字形状、C字形状、U字形状、および/または蛇行形状を画定し得る。各屈曲部3は、ソール構造体200aの周縁部に向かって延在する内径部を伴う。いくつかの例では、各屈曲部3の内径は、少なくとも3mmである。さらに、各屈曲部3は、フランジ306とは反対側の各流体充填セグメント310〜340上においてソール構造体200aの周縁部の近傍に配設される。フランジ306とは反対側の流体充填セグメント上に屈曲部3を位置決めすることにより、ソール構造体200aに対する荷重印加間の方向シフト中における流体充填セグメント310〜340の収縮が防止される。
【００８０】
流体充填セグメント310は、フォアフット領域12内に配設され、流体充填セグメント330は、ヒール領域16と流体充填セグメント310との間に配設され、流体充填セグメント320は、流体充填セグメント310と330との間に配設される。流体充填セグメント310は、蛇行形状を画定し、内側部20から外側部18まで連続的に延在する第1の部分311と、ヒール領域16から離れるように前方に第1の部分311の内側端部から内側部20に沿って延在する第2の部分312とを備える。流体充填セグメント310の第3の部分313が、第2の部分312から外側部18に向かう方向に、外側部18と内側部20との間にて終端する遠位端5まで延在する。さらに、流体充填セグメント310は、ヒール領域16から離れるように前方へと第1の部分311の外側端部から外側部18に沿って延在する第4の部分314と、第4の部分314から外側部18に向かう方向に、外側部18と内側部20との間にて終端する遠位端5まで延在する第5の部分315とを備える。いくつかの例では、第3の部分313および第5の部分315の両遠位端5は、第3の部分313および第5の部分315により規定される厚さがソール構造体200aの中心に向かってそれらの長さ方向に沿って低減するように、アッパー100aに向かう方向にテーパ状をなす。そのようにする場合に、遠位端5は、せん断力が印加される場合に各部分313および315の形状を保持するための、各部分313および315用のアンカー点として動作可能である。いくつかの構成では、流体充填セグメント310の第3の部分313および第5の部分315は、相互に対して実質的に平行であり、第1の部分311と共に収束形状を作る。いくつかの例では、第3の部分313の遠位端5は、第5の部分315の遠位端5よりも内側部20のより近くに配設される。
【００８１】
いくつかの実装形態では、流体充填セグメント310と330との間に配設された流体充填セグメント320は、7字形状を画定し、ソール構造体200aの外側部18に沿って延在する第1の部分321と、第1の部分321の一方の端部からソール構造体200aの内側部20に向かって、外側部18と内側部20との間で終端する遠位端5まで延在する第2の部分322と、第1の部分321の反対側端部から内側部20に向かって、外側部18と内側部20との間で終端する遠位端5まで延在する第3の部分323とを備える。いくつかの実装形態では、流体充填セグメント320の第1の部分321は、流体充填セグメント310の第1の部分311と共に収束形状を作る。第2の部分322および第3の部分323は、それぞれ異なる長さを備え得る。いくつかの例では、第2の部分の遠位端5は、外側部18と内側部20との間の第1の位置にて終端し、第3の部分323は、第1の位置とは異なる外側部18と内側部20との間の第2の位置にて終端する。いくつかの構成では、流体充填セグメント320の第2の部分322は、流体充填セグメント320の第3の部分323と共に収束形状を作り、流体充填セグメント310の第1の部分311と平行である。さらに、流体充填セグメント320の第2の部分322は、流体充填セグメント320の第3の部分323よりも大きな度合いで内側部20に向かって延在し得る。流体充填セグメント310の第3の部分313および第5の部分315の両遠位端5と同様に、流体充填セグメント320の第2の部分322および第3の部分323の遠位端5の少なくとも一方は、アッパー100aに向かう方向にテーパ状をなして、せん断力が印加される場合に各部分322および323の形状を保持するための、遠位端5が各部分322および323用のアンカー点として動作するのを可能にし得る。
【００８２】
いくつかの実装形態では、流体充填セグメント330は、ソール構造体200aの外側部18とソール構造体200aの内側部20との間で連続的に延在する第1の部分331を備える。いくつかの実装形態では、流体充填セグメント320の第1の部分331は、流体充填セグメント320の第3の部分323と平行であり、流体充填セグメント320の第1の部分321および第2の部分322と共に収束形状を作り、また流体充填セグメント310の第1の部分311および第2の部分312と共に収束形状を作る。また、流体充填セグメント330は、ヒール領域16に向かって後方に第1の部分331の内側端部から内側部20に沿って延在する第2の部分332と、第2の部分332から外側部18に向かって、外側部18と内側部20との間で終端する遠位端5まで延在する第3の部分333とを備える。第3の部分333の遠位端5は、せん断力が印加される場合に第3の部分333用のアンカー点としての役割を果たすようにアッパー100aに向かう方向にテーパ状をなし得る。いくつかの例では、流体充填セグメント330の第3の部分333および第1の部分331は、収束形状を作る。さらに、流体充填セグメント330は、ヒール領域16に向かって後方に第1の部分331の外側端部から外側部18に沿って部分的に延在し、徐々に湾曲して外側部18と内側部20との間の位置にてミッドフット領域14まで内側部20に向かう方向に延在する第4の部分334を備える一方で、流体充填セグメント330の第5の部分335は、内側部20から外側部18に向かってミッドフット領域14まで外側部18と内側部20との間の位置にて延在する。いくつかの例では、流体充填セグメント330が、ヒール領域16とフォアフット領域12との間にておよびソール構造体200aの内側部20からすなわち第5の部分335に沿ってソール構造体200aの外側部まですなわち第4の部分334に沿って延在するように、流体充填セグメント330の第4の部分334の長手方向軸(例えば図16のベクトル142を参照)が、第5の部分335の長手方向軸(例えば図16のベクトル142を参照)と位置合わせされる。
【００８３】
流体充填セグメント330の第4の部分334および第5の部分335は、協働してヒール領域16とフォアフット領域12との間でおよび内側部20から外側部18まで延在するが、流体充填セグメント340は、ヒール領域16とフォアフット領域12との間でしかし外側部18から内側部20まで延在する第1の部分341を備える。いくつかの構成では、流体充填セグメント340の第1の部分341は、外側部18から内側部20まで連続的に延在し、流体充填セグメント330の第4の部分334と第5の部分335との間の位置にてミッドフット領域14内で流体充填セグメント330と交差する。したがって、流体充填セグメント330の第4の部分334は、フォアフット領域12に対向する流体充填セグメント340の第1の部分341の第1の側部上に配設される一方で、流体充填セグメント330の第5の部分335は、ヒール領域16に対向する流体充填セグメント340の第1の部分341の反対側の第2の側部上に配設される。
【００８４】
また、いくつかの実装形態では、流体充填セグメント340は、第1の部分341の内側端部から外側部18に向かって、外側部18と内側部20との間の位置にて終端する遠位端5まで延在する第2の部分342を備える。いくつかの実装形態では、流体充填セグメント340の第2の部分342は、流体充填セグメント330の第3の部分333に対して実質的に平行である。流体充填セグメント330の第3の部分333の遠位端5と同様に、流体充填セグメント340の第2の部分342の遠位端5は、アッパー100aに向かう方向にテーパ状をなして、流体充填セグメント340の第3の部分342用のアンカー点を形成し得る。いくつかの例では、流体充填セグメント340の第2の部分342は、流体充填セグメント330の第3の部分333よりも大きな度合いで外側部18に向かって延在する。
【００８５】
いくつかの実装形態では、流体充填セグメント340は、流体充填セグメント330よりもさらなる距離にわたりアッパー100aから離れるように延在する。換言すれば、流体充填セグメント340は、足のアーチの湾曲に対応し、それによりアウトソール210が地面と係合するためにローリングする際の足の過剰な回内または回外を防止することによって足の自然な歩行周期を助長するために、流体充填セグメント330の厚さよりも大きな厚さを伴ってもよい。
【００８６】
流体充填セグメント350は、ソール構造体200aのヒール領域16の周囲に延在するC字形状または馬蹄形状の構成を画定し得る。図3および図7を参照して上述するように、流体充填セグメント350は、例えば各導管を介して、流体充填セグメント340の第1の部分341とおよび/または流体充填セグメント330の第5の部分335と流体連通状態にあってもよい。流体充填セグメント360は、外側部18と内側部20との間に配設され、外側部18および内側部20のそれぞれにて流体充填セグメント350の端部により囲まれる一方で、流体充填セグメント370は、外側部18と内側部20との間に配設され、外側部18にて流体充填セグメント340の第1の部分341によりおよび内側部20にて流体充填セグメント330の第5の部分335により囲まれる。いくつかの例では、流体充填セグメント360の長手方向軸が、流体充填セグメント370の長手方向軸に対して実質的に平行であり、ソール構造体200aの長手方向軸Lに対して実質的に垂直である。流体充填セグメント360および370は、荷重印加下にある場合に圧縮されて、地面反力を減衰することにより踵骨(例えば踵の骨)に対して高い緩衝を与え得る。
【００８７】
図10は、図7を参照して上述するような層状構成で構成されたストローブル220a、アッパー100a、ミッドソール240、および上方層301aを有するフォアフット領域12内のソール構造体200aを示す、図9の線10-10に沿った断面図を示す。流体充填セグメント310の第1の部分311、第2の部分312、および第3の部分313はそれぞれ、流体充填チャンバ300の下方層302および上方層301aが、加圧流体(例えば空気)をそれぞれ収容する各空部を画定するように分離された領域においてチューブ形状断面を画定する。流体充填セグメント310の第3の部分313は、流体充填セグメント310の第2の部分312から外側部18に沿って内側部20に向かって、外側部18と内側部20との間の位置にて終端する遠位端5まで延在する。いくつかの例では、遠位端5は、アッパー100aに向かう方向にテーパ状をなす。流体充填セグメントの第1の部分311は、フォアフット領域12にわたりおよび内側部20から外側部18まで連続的に延在し、図10の図に関して外側部18と内側部20との間に配設される。
【００８８】
また、図10は、流体充填チャンバ300の下方層302および上方層301aが加圧流体(例えば空気)をそれぞれ収容する各空部を画定するように分離された領域においてチューブ形状断面をそれぞれ画定する流体充填セグメント320の第1の部分321および第2の部分322を示す。チューブ形状断面は、チューブ形状断面は、前方移動および/または側方移動の実施時にフットウェア10aの使用中において地面とのローリング係合を助長するために地面との間に円形接触表面をもたらす。流体充填セグメント320の第1の部分321は、内側部20に沿って延在し、流体充填セグメント320の第2の部分322は、第1の部分321から外側部18に向かって延在する。
【００８９】
アウトソール210は、流体充填セグメント310および320のそれぞれに装着され、流体充填セグメント310および320のそれぞれと形状的に合致し、セグメント310および320のそれぞれの間にわたり延在するウェブエリア308には存在せず、それにより上方層301aと接合してウェブエリア308を形成する流体充填チャンバの下方層302の領域を露出させる。いくつかの例では、流体充填セグメント310および320の少なくとも一方が、アウトソール210の各セグメントに装着するためにそれらのセグメントを受けるように構成された、長さ方向に沿って延在するリニアリッジを画定する。
【００９０】
図11は、図7を参照して上述したような層状構成で構成されたストローブル220a、アッパー100a、ミッドソール240、および上方層301aを有するミッドフット領域14におけるソール構造体200aを示す、図9の線11-11に沿った断面図を示す。流体充填セグメント340の第1の部分341および第2の部分342はそれぞれ、流体充填チャンバ300の下方層302および上方層301aが加圧流体(例えば空気)をそれぞれ収容する各空部を画定するように分離された領域においてチューブ形状断面を画定する。このチューブ形状断面は、前方移動および/または側方移動の実施時にフットウェア10aの使用中において地面とのローリング係合を助長するために地面との間に円形接触表面をもたらす。流体充填セグメント340の第1の部分341は、ヒール領域16とフォアフット領域12との間におよび内側部20から外側部18まで連続的に延在し、それにより第1の部分341は、図11の図面に関して外側部18の近傍に配設される。流体充填セグメント340の第2の部分342は、第1の部分341から外側部18において内側部20に向かって、外側部18と内側部20との間の位置にて終端する遠位端5まで延在する。いくつかの例では、遠位端5は、アッパー100aに向かう方向にテーパ状をなす。
【００９１】
さらに、流体充填セグメント330の第4の部分334は、内側部20から外側部18に向かって延在し、図11の図面に関して内側部20と外側部18との間に配設される。図11は、流体充填セグメント330の第4の部分334に伴う厚さよりも大きな流体充填セグメント340の第1の部分341を伴う厚さを示す。また、流体充填セグメント330の第4の部分334は、流体充填チャンバ300aの下方層302および上方層301aが加圧流体(例えば空気)をそれぞれ収容する各空部を画定するように分離された領域においてチューブ形状断面を画定する。このチューブ形状断面は、前方移動および/または側方移動の実施時にフットウェア10aの使用中において地面とのローリング係合を助長するために地面との間に円形接触表面をもたらす。
【００９２】
アウトソール210は、流体充填セグメント330および340のそれぞれに装着され、流体充填セグメント330および340のそれぞれと形状的に合致し、セグメント330および340のそれぞれの間にわたり延在するウェブエリア308には存在せず、それにより上方層301aと接合してウェブエリア308を形成する流体充填チャンバの下方層302の領域を露出させる。いくつかの例では、流体充填セグメント330および340の少なくとも一方が、アウトソール210の各セグメントを受けるように構成された、長さ方向に沿って延在するリニアリッジを画定する。
【００９３】
図12は、図7を参照して上述したように層状構成で構成されたストローブル220a、アッパー100a、ミッドソール240、および上方層301aを有するミッドフット領域14におけるソール構造体200aを示す、図9の線12-12に沿った断面図を示す。図12は、アッパー100aに向かって延在し、上方層301aと接合して外側部18のフランジ306と内側部20との間にウェブエリア308の2つの領域を形成することにより、外側部18および内側部20のそれぞれに位置する流体充填セグメント340および330の、ならびに外側部18と内側部20との間に配設された流体充填セグメント370の部分を画定および境界設定する、下方層302を示す。図7の流体充填セグメント350および360と同様に、オーバーモールド成形部分304は、流体充填セグメント330、340、370がアッパー100aから離れるようにおよびアウトソール210に向かって突出して、フォアフット領域12に比べてより大きな厚さを画定するヒール領域16の近傍のミッドフット領域14のエリア内の流体充填セグメント330、340、370に高い耐久性および弾性を与える領域において、下方層302のいくつかの部分に装着される。いくつかの例では、流体充填チャンバ300aの下方層302は、オーバーモールド成形部分304が装着される部分に沿って薄い厚さを備えるように形成される。アウトソール210の内方表面214は、オーバーモールド成形部分304に装着される。
【００９４】
いくつかの実装形態では、図12の図面に関して外側部18および内側部20のそれぞれに沿って延在する流体充填セグメント340および330はそれぞれ、側方移動の最中におけるソール構造体200aの内方および/または外方へのローリングを助長するために半チューブ状断面形状を画定する一方で、外側部18と内側部20との間に配設された流体充填セグメント370は、流体充填セグメント330および340が、地面反力の初期衝撃を吸収し、それにより地面反力が流体充填セグメント370に対して印加される前に圧縮されることが可能となり、それによって流体充填セグメント340、330、370が連続的に圧縮されるとトランポリン効果が生じ、それによってヒール領域16の近傍のミッドフット領域14のエリアに勾配的応答タイプ緩衝がもたらされるように、低減された厚さを備え得る。加圧流体(例えば空気)をそれぞれ収容する流体充填セグメント350および360は、例えば導管を介して流体連通状態にあってもよい。任意には、1つまたは複数の導管が、流体充填セグメント350および360の一方または両方において加圧流体を隔離するために存在しなくてもよい。いくつかの実装形態では、全体として流体充填チャンバ300に関連付けられる流体充填セグメント310〜370の全てが相互に流体連通状態になるように、隣接し合う流体充填セグメント310〜370が相互に流体連通状態にある。
【００９５】
図13は、ソール構造体200aの外側部18と内側部20との間に延在する流体充填セグメント310、320、330、340の部分を示す、図9の線13-13に沿った部分断面図を示す。図13は、図7を参照して上述したように層状構成で構成されたストローブル220a、アッパー100a、ミッドソール240、および上方層301aを示す。流体充填セグメント310は、内側部20から外側部18まで連続的に延在する第1の部分311の外側端部から外側部18に沿って延在する第4の部分314を備える。流体充填セグメント320の第2の部分322は、外側部18から内側部20に向かって延在し、流体充填セグメント310の第1の部分311の長手方向軸に対して実質的に平行である長手方向軸を規定する。ウェブエリア308は、流体充填セグメント320の第2の部分322から流体充填セグメント310の第1の部分311を離間させる離間距離を規定し、またフォアフット領域12内においてソール構造体200aに撓曲領域を与え得る。また、流体充填セグメント320の第3の部分323は、外側部18から内側部20に向かって延在するが、流体充填セグメント320の第2の部分322よりも小さな度合いで内側部20に向かって延在する。いくつかの実装形態では、流体充填セグメント320の第2の部分322は、流体充填セグメント320の第3の部分323と共に収束形状を作り、また内側部20から外側部まで連続的に延在する流体充填セグメント330の第1の部分331と共に収束形状を作る。流体充填セグメント330の第1の部分331は、部分331および323を分離させ、ミッドフット領域14とフォアフット領域12との間においてソール構造体200aの撓曲領域を画定するウェブエリア308を有する、流体充填セグメント320の第3の部分323と実質的に平行であり得る。アウトソール210は、流体充填セグメント310〜340のそれぞれに装着され、流体充填セグメント310〜340のそれぞれに形状的に合致し、セグメント310〜340のそれぞれの間にわたり延在するウェブエリア308には存在せず、それにより上方層301aと接合してウェブエリア308を形成する流体充填チャンバ300aの下方層302の領域を露出させる。いくつかの例では、流体充填セグメント310〜340の少なくとも1つが、装着されるアウトソール210の各セグメントを受け支持するように構成された、長さ方向に沿って延在するリニアリッジを画定する。
【００９６】
図14は、流体充填セグメント310と流体充填セグメント330との間のフォアフット領域12に配設された図9の流体充填セグメント320の下方斜視図を示す。いくつかの例では、第3の部分323は、外側部18と内側部20との間の位置にて終端する遠位端5まで内側部20に向かって延在する。遠位端5は、アッパー100aに向かう方向にテーパ状をなし得る。第3の部分323の遠位端5がテーパ状であることは、荷重印加下にある場合に第3の部分323用のアンカー点として動作可能であり得る。いくつかの例では、アウトソール210の各セグメントが、流体充填セグメント320の形状および輪郭に合致する形状を備え、接着剤または他の装着技術により流体充填セグメント310に装着される。いくつかの構成では、流体充填セグメント320の部分321、322、323はそれぞれ、装着されるアウトソール210のセグメントを受け支持するように構成された、それぞれの長さ方向に沿って延在するリニアリッジを画定する。アウトソール210は、アッパー100aから離れるように突出する下方表面302の領域に対向し装着された内方表面214と、内方表面214とは反対側のアウトソール210上に配設された地面係合表面212とを備える。いくつかの実装形態では、地面係合表面212は、相互に対して平行におよび流体充填セグメント320の各部分321、322、323の長さ方向に沿って延在する一連の溝215を画定する。したがって、一連の溝215は、一連の溝215が部分321、322、323のそれぞれの長手方向軸に対して平行に延在するように、第2の部分322に第1の部分321をおよび第3の部分323に第1の部分321を相互連結する各屈曲部3にて屈曲および屈折する。アウトソール210の他のセグメントは、同様にして他の流体充填セグメント310、330〜370に装着され得る。
【００９７】
図15を参照すると、いくつかの実装形態では、オーバーモールド成形部分304は、ソール構造体200aのミッドフット領域14およびヒール領域16内に配設された流体充填セグメント330〜370の各部分に装着された複数の別個のセグメントを備える。図15は、アウトソール210が除去され、オーバーモールド成形部分304に装着された流体充填セグメント330〜370の部分のみを示す。例えば、オーバーモールド成形部分304は、流体充填セグメント330の第4の部分334のセクションにのみ装着される一方で、オーバーモールド成形部分は、ほぼフォアフット領域12に向かって延在する第4の部分334の残りのセクションには存在しない。さらに、図15は、第1の部分341が流体充填セグメント330に交差する位置にて流体充填セグメント340の第1の部分341に装着されたオーバーモールド成形部分304を示す。いくつかの例では、オーバーモールド成形部分304は、流体充填セグメント330〜370を形成する材料よりも大きな厚さおよび高い剛性の少なくとも一方を備えることにより、流体充填セグメント330〜370が印加荷重方向にしたがって圧縮または膨張されることによって高い弾性および耐久性を実現し、それによって地面反力を減衰し足に対して安定性および支持を与える。図7、図8、および図10〜図14を参照して説明するように、下方層302は、上方層301aと接合および結合してフランジ306およびウェブエリア308を形成し、これらのフランジ306およびウェブエリア308は、協働して流体充填セグメント330〜370内に流体(例えば空気)を境界設定および封止する。
【００９８】
図16は、流体充填セグメント310〜370により規定された複数の緩衝および支持ベクトル120、122、140、141、142、160を示す、図5のフットウェア製品10aの下方斜視図を示す。ベクトル120、122、140、141、142、160は、図1〜図4のフットウェア製品10に対して同等に適用される。さらに具体的には、ソール構造体200aの外側部18と内側部20との間で延在する流体充填セグメント310〜370の各部分の長手方向軸が、緩衝および支持ベクトル120、122、140、141、142、160のそれぞれを規定する。緩衝ベクトルに対して平行な方向を伴う印加荷重により、流体充填セグメントの1つまたは複数の対応する部分が、収縮することなくその形状を保持して、それらの領域において足に支持を与える。他方では、緩衝ベクトルに対して横方向の方向を伴う印加荷重により、流体充填セグメントの1つまたは複数の対応する部分が、圧縮され収縮して、印加荷重を伴う地面反力を減衰することによってそれらの領域において足に緩衝を与える。
【００９９】
いくつかの実装形態では、第1の一連の緩衝および支持ベクトル120が、フォアフット領域12内に配設され、ソール構造体200aの長手方向軸Lに対して実質的に垂直である方向へと相互に平行に延在する。歩行運動または走行運動などの前方移動中には、ソール構造体200aに対して印加される荷重は、第1の一連のベクトル120に対して横方向およびほぼ垂直な方向を伴う。したがって、図9を参照すると、ベクトル120を規定する各部分332、323、313、315は、地面からの踏切りを通して足の中足骨領域に対して緩衝を与えるように連続的に圧縮され収縮する。同様に、印加荷重は、フットウェア10aの急停止の実施に応答してベクトル120に対して横方向/垂直な方向を伴い得る。この場合に、各部分332、323、313、315は、圧縮され収縮することにより、足の中足骨領域を緩衝し、フットウェア10aが急停止に応答して急激に減速する際に印加荷重の衝撃を緩和するように足に対して制動を与える。シフト動作またはカッティング動作などの側方移動中には、ソール構造体200aに対して印加される荷重は、第1の一連のベクトル120に対してほぼ平行な方向を伴い、それにより各部分332、323、313、315はせん断力下におかれ、それによってそれらの形状を保持し(例えば圧縮されない)、側方移動を実施するフットウェア10aに応答して足の中足骨領域に対して支持を与える。
【０１００】
いくつかの実装形態では、第2の一連の緩衝および支持ベクトル122は、フォアフット領域12内に配設され、ソール構造体200aが荷重下にある場合に第1の一連のベクトル120と相互作用する。第2の一連のベクトル122が、第1の一連のベクトル120に対して横方向であり共に収束形状を作るため、フットウェア10aが前方移動または急停止を実施した場合には、せん断力が、第2の一連のベクトル122を伴う部分322および311に対して印加されて足に支持を与える一方で、第1の一連のベクトル120を伴う部分331、323、313、および315は、地面反力を減衰することにより足に対して緩衝を与えるように圧縮下にある。対照的に、フットウェア10aが側方移動を実施した場合には、第2の一連のベクトル122を伴う部分322および311は、地面反力を減衰することにより足に対して緩衝を与えるように圧縮下にある一方で、せん断力が、足に対して支持を与えるように第1の一連のベクトル120を伴う部分331、323、313、および315に対して印加される。図9を参照すると、第1の一連のベクトル120に対応する部分323、313、315の遠位端5と同様に、外側部18と内側部20との間の位置にてフォアフット領域12内に配設された流体充填セグメント320の第2の部分322の遠位端5は、アッパー100aに向かう方向にテーパ状をなし、それによりせん断力が印加された場合に部分322の収縮を防止することにより第2の部分322の形状を保持するためのアンカー点としての役割を果たし得る。
【０１０１】
いくつかの実装形態では、第3の一連の緩衝および支持ベクトル140、第4の緩衝および支持ベクトル141、ならびに第5の緩衝および支持ベクトル142は、ミッドフット領域14内に配設され、ソール構造体が前方移動および/または側方移動の最中に荷重印加下にある場合に、足に対して支持および緩衝を与えるように相互に作用する。例えば、図9を参照すると、フットウェア10aが前方移動を実施する場合に、第3の一連のベクトル140を伴う部分333および342は、アウトソール210がミッドフット領域14を介して地面と係合するためにローリングする際に、地面反力を減衰することにより足に対して緩衝を与えるように圧縮される。この場合には、せん断力が、第4のベクトル141を伴う部分341に対して印加され、それにより部分341はその形状を保持して足に対して支持を与える。さらに、第5のベクトル142を伴う部分344および345は、第4のベクトル141の両側で圧縮されて、地面反力を減衰することにより足に対して緩衝を与え得る。対照的に、せん断力は、フットウェア10aが側方移動を実施する場合に、第3の一連のベクトル140を伴う部分333および342および/または第5のベクトル142を伴う部分344および345に対して印加されることにより足に対して支持を与え得る一方で、第4のベクトル141を伴う部分341は、側方移動中には地面反力を減衰することにより足に対して緩衝を与えるように圧縮され得る。いくつかの例では、部分333および342の遠位端5は、外側部18と内側部20との間のそれぞれ異なる位置にて終端し、それらの一方または両方が、アッパー100aに向かう方向にテーパ状をなしてもよく、それにより、せん断力が印加された場合に各部分333および342の収縮を防止するために部分333および342に対するアンカー点としての役割を果たし得る。
【０１０２】
さらに、第6の一連の緩衝および支持ベクトル160が、ヒール領域16内に配設され、アウトソール210と地面との間の初期衝撃により引き起こされる荷重の印加中に踵骨(例えば踵の骨)に対して緩衝を与え得る。この第6の一連のベクトル160は、ソール構造体200aの長手方向軸Lに対して横方向およびほぼ垂直な方向に延在し得る。例えば、ヒール領域16が地面との衝突に応答して荷重印加下にある場合に、流体充填セグメント360および370は、外側部18および内側部20のそれぞれに沿って配設された部分341、355の端部および流体充填セグメント350の端部が、圧縮され地面反力の初期衝撃を吸収させられることにより、流体充填セグメント360および370の形状をほぼ保持することによって支持および勾配的緩衝をもたらす。
【０１０３】
図17は、流体充填チャンバ300aの下方表面302に装着されたオーバーモールド成形部分304と、オーバーモールド成形部分304と下方表面302が上方表面301aに接合および結合する位置とを分離させる間隙部188とを示す、図5のフットウェア製品10aの後方斜視図を示す。いくつかの実装形態では、オーバーモールド成形部分304は、オーバーモールド成形部分304を形成する材料の透明性を低減させる粗くつや無しの表面を備え、それにより流体充填チャンバ300aの透視性を防止する。上方表面301aおよび下方表面302は、透明ポリマー材料から形成されてもよいため、間隙部188は、流体充填チャンバ300aにわたり透明領域を与えて、フットウェア10aの美観性を高める。
【０１０４】
以下の項は、上述のフットウェア製品用の例示の構成を示す。
【０１０５】
項1:アッパーを有するフットウェア製品用のソール構造体であって、ヒール領域と、フォアフット領域と、ヒール領域とフォアフット領域との間に配設されたミッドフット領域とを備える、ソール構造体。フォアフット領域内に配設された第1の流体充填セグメントであって、ソール構造体の内側部からソール構造体の外側部まで連続的に延在する第1の部分を備える第1の流体充填セグメント、ならびにヒール領域と第1の流体充填セグメントとの間に配設された第2の流体充填セグメントであって、ソール構造体の内側部とソール構造体の外側部との間で連続的に延在する第1の部分を備える第2の流体充填セグメント。第1の流体充填セグメントと第2の流体充填セグメントとの間に配設された第3の流体充填セグメントであって、ソール構造体の内側部およびソール構造体の外側部の一方に沿って延在する第1の部分と、第1の部分から内側部および外側部の他方に向かって延在し内側部と外側部との間の第1の位置にて終端する遠位端を有する第2の部分とを備える、第3の流体充填セグメント。
【０１０６】
項2:第3の流体充填セグメントが、第3の流体充填セグメントの第1の部分から内側部および外側部の他方に向かって延在する第3の部分を備える、項1に記載のソール構造体。
【０１０７】
項3:第3の部分が、第2の部分と共に収束形状を作る、項2に記載のソール構造体。
【０１０８】
項4:第3の部分が、内側部と外側部との間の第2の位置にて終端する遠位端を備える、項2に記載のソール構造体。
【０１０９】
項5:第1の位置が、第2の位置とは異なる、項4に記載のソール構造体。
【０１１０】
項6:第2の部分および第3の部分の一方が、第2の部分および第3の部分の他方よりも大きな度合いで内側部および外側部の他方に向かって延在する、項1から項5のいずれか一項に記載のソール構造体。
【０１１１】
項7:第2の部分および第3の部分が、それぞれ異なる長さを備える、項1から項6のいずれか一項に記載のソール構造体。
【０１１２】
項8:第2の部分および第3の部分の少なくとも一方の遠位端が、アッパーに向かう方向にテーパ状をなす、項1から項7のいずれか一項に記載のソール構造体。
【０１１３】
項9:第1の流体充填セグメントの第1の部分が、第2の流体充填セグメントの第1の部分と共に収束形状を作る、項1から項8のいずれか一項に記載のソール構造体。
【０１１４】
項10:第1の流体充填セグメントが、内側部および外側部の一方に沿って延在する第2の部分と、第1の流体充填セグメントの第2の部分から内側部および外側部の他方に向かって延在する第3の部分とを備える、項1から項9のいずれか一項に記載のソール構造体。
【０１１５】
項11:第1の流体充填セグメントの第3の部分が、内側部と外側部との間にて終端する遠位端を備える、項10に記載のソール構造体。
【０１１６】
項12:第1の流体充填セグメントの第3の部分の遠位端が、アッパーに向かう方向にテーパ状をなす、項11に記載のソール構造体。
【０１１７】
項13:第1の流体充填セグメントが、内側部および外側部の他方に沿って延在する第4の部分と、第1の流体充填セグメントの第4の部分から内側部および外側部の一方に向かって延在する第5の部分とを備える、項10から項12のいずれか一項に記載のソール構造体。
【０１１８】
項14:第1の流体充填セグメントの第5の部分が、内側部と外側部との間の位置にて終端する遠位端を備える、項13に記載のソール構造体。
【０１１９】
項15:第1の流体充填セグメントの第5の部分の遠位端が、アッパーに向かう方向にテーパ状をなす、項14に記載のソール構造体。
【０１２０】
項16:第1の流体充填セグメントの第3の部分および第1の流体充填セグメントの第5の部分が、相互に対して実質的に平行である、項13から項15のいずれか一項に記載のソール構造体。
【０１２１】
項17:第2の流体充填セグメントが、内側部および外側部の他方に沿って第2の流体充填セグメントの第1の部分から延在する第2の部分を備える、項1から項16のいずれか一項に記載のソール構造体。
【０１２２】
項18:第2の流体充填セグメントが、第2の流体充填セグメントの第2の部分から内側部および外側部の一方に向かって延在する第3の部分を備える、項17に記載のソール構造体。
【０１２３】
項19:第2の流体充填セグメントの第3の部分が、内側部と外側部との間の位置にて終端する遠位端を備える、項18に記載のソール構造体。
【０１２４】
項20:第2の流体充填セグメントの第3の部分の遠位端が、アッパーに向かう方向にテーパ状をなす、項19に記載のソール構造体。
【０１２５】
項21:第2の流体充填セグメントが、内側部および外側部の一方に沿って第2の流体充填セグメントの第1の部分から延在する第4の部分を備える、項17から項20のいずれか一項に記載のソール構造体。
【０１２６】
項22:第1の流体充填セグメント、第2の流体充填セグメント、および第3の流体充填セグメントが、相互に流体連通状態にある、項1から項21のいずれか一項に記載のソール構造体。
【０１２７】
項23:第1の流体充填セグメント、第2の流体充填セグメント、および第3の流体充填セグメントの中の少なくとも1つにそれぞれ装着された複数の別個のセグメントを備えるアウトソールをさらに備える、項1から項22のいずれか一項に記載のソール構造体。
【０１２８】
項24:アウトソールの各セグメントが、第1の流体充填セグメント、第2の流体充填セグメント、および第3の流体充填セグメントの中のそれぞれの形状に合致するように輪郭設定された形状を備え、アウトソールのセグメントが、第1の流体充填セグメント、第2の流体充填セグメント、および第3の流体充填セグメントのそれぞれの長手方向軸に沿って実質的に平行に延在する一連の溝を画定する地面係合表面を備える、項23に記載のソール構造体。
【０１２９】
項25:第1の流体充填セグメント、第2の流体充填セグメント、および第3の流体充填セグメントの中の少なくとも1つが、装着されたアウトソールの各セグメントを支持するリニアリッジを備える、項23に記載のソール構造体。
【０１３０】
項26:項1から項25のいずれか一項に記載のソール構造体を組み込んだフットウェア製品。
【０１３１】
項27:アッパーを有するフットウェア製品用のソール構造体であって、ヒール領域と、フォアフット領域と、ヒール領域とフォアフット領域との間に配設されたミッドフット領域とを備える、ソール構造体。ヒール領域とフォアフット領域との間でおよびソール構造体の内側部からソール構造体の外側部まで延在する第1の流体充填セグメント、ならびにヒール領域とフォアフット領域との間でおよびソール構造体の外側部からソール構造体の内側部まで延在する第2の流体充填セグメント。第2の流体充填セグメントは、ミッドフット領域にて第1の流体充填セグメントと交差する。
【０１３２】
項28:第2の流体充填セグメントが、外側部から内側部までミッドフット領域にわたり連続的に延在する、項27に記載のソール構造体。
【０１３３】
項29:第1の流体充填セグメントが、第2の流体充填セグメントの第1の側部上に配設された第1の部分と、第2の流体充填セグメントの反対側の第2の側部上に配設された第2の部分とを備える、項1から項28のいずれか一項に記載のソール構造体。
【０１３４】
項30:第2の流体充填セグメントが、第1の部分と第2の部分との間の位置にて第1の流体充填セグメントと交差する、項29に記載のソール構造体。
【０１３５】
項31:第1の部分の長手方向軸が、第2の部分の長手方向軸と位置合わせされる、項29から項31のいずれか一項に記載のソール構造体。
【０１３６】
項32:第1の流体充填セグメントが、第1の流体充填セグメントの第2の部分からソール構造体の内側部に向かって延在する第3の部分を備える、項29から項31のいずれか一項に記載のソール構造体。
【０１３７】
項33:第1の流体充填セグメントの第3の部分が、外側部から内側部まで連続的に延在する、項32に記載のソール構造体。
【０１３８】
項34:第1の流体充填セグメントが、第1の流体充填セグメントの第3の部分からソール構造体の内側部に沿って延在する第4の部分を備える、項32または項33に記載のソール構造体。
【０１３９】
項35:第1の流体充填セグメントが、第1の流体充填セグメントの第4の部分からソール構造体の外側部に向かって延在する第5の部分を備える、項34に記載のソール構造体。
【０１４０】
項36:第1の流体充填セグメントの第5の部分が、内側部と外側部との間の位置にて終端する遠位端を備える、項35に記載のソール構造体。
【０１４１】
項37:遠位端が、アッパーに向かう方向にテーパ状をなす、項36に記載のソール構造体。
【０１４２】
項38:第2の流体充填セグメントが、ヒール領域とフォアフット領域との間でおよびソール構造体の外側部からソール構造体の内側部まで延在する第1の部分と、第2の流体充填セグメントの第1の部分から外側部に向かって延在する第2の部分とを備える、項1から項37のいずれか一項に記載のソール構造体。
【０１４３】
項39:第2の流体充填セグメントの第2の部分が、内側部と外側部との間の位置にて終端する遠位端を備える、項38に記載のソール構造体。
【０１４４】
項40:第2の流体充填セグメントの第2の部分の遠位端が、アッパーに向かう方向にテーパ状をなす、項39に記載のソール構造体。
【０１４５】
項41:第2の流体充填セグメントの第2の部分が、第1の流体充填セグメントの第5の部分に対して実質的に平行である、項38から項40のいずれか一項に記載のソール構造体。
【０１４６】
項42:第1の流体充填セグメントおよび第2の流体充填セグメントに装着されたオーバーモールド成形部分をさらに備える、項1から項41のいずれか一項に記載のソール構造体。
【０１４７】
項43:オーバーモールド成形部分が、第1の流体充填セグメントを形成する材料および第2の流体充填セグメントを形成する材料よりも大きな厚さおよび高い剛性の少なくとも一方を備える、項42に記載のソール構造体。
【０１４８】
項44:オーバーモールド成形部分が、第2の流体充填セグメントが第1の流体充填セグメントと交差する位置にて第1の流体充填セグメントおよび第2の流体充填セグメントに装着される、項42または項43に記載のソール構造体。
【０１４９】
項45:第1の流体充填セグメントおよび第2の流体充填セグメントとは反対側のオーバーモールド成形部分上でオーバーモールド成形部分に装着されたアウトソールをさらに備える、項42から項44のいずれか一項に記載のソール構造体。
【０１５０】
項46:第1の流体充填セグメントが、第2の流体充填セグメントと流体連通状態にある、項1から項45のいずれか一項に記載のソール構造体。
【０１５１】
項47:第2の流体充填セグメントは、第1の流体充填セグメントよりも大きな度合いでアッパーから離れる方向に延在する、項1から項46のいずれか一項に記載のソール構造体。
【０１５２】
項48:第1の流体充填セグメントおよび第2の流体充填セグメントの少なくとも一方にそれぞれ装着された複数の別個のセグメントを備えるアウトソールをさらに備える、項27から項41ならびに項46および項47のいずれか一項に記載のソール構造体。
【０１５３】
項49:アウトソールの各セグメントが、第1の流体充填セグメントおよび第2の流体充填セグメントのそれぞれの形状に合致するように輪郭設定された形状を備え、アウトソールのセグメントが、第1の流体充填セグメントおよび第2の流体充填セグメントのそれぞれの長手方向軸に沿って実質的に平行に延在する一連の溝を画定する地面係合表面を備える、項48に記載のソール構造体。
【０１５４】
項50:第1の流体充填セグメントおよび第2の流体充填セグメントの少なくとも一方が、装着されたアウトソールの各セグメントを支持するリニアリッジを備える、項49に記載のソール構造体。
【０１５５】
項51:項1から項50のいずれか一項に記載のソール構造体を組み込んだフットウェア製品。
【０１５６】
項52:アッパーを有するフットウェア製品用のソール構造体であって、第1の流体充填セグメントを備え、第1の流体充填セグメントが、ソール構造体の内側部およびソール構造体の外側部の一方に沿って延在する第1の部分と、第1の流体充填セグメントの第1の部分から内側部および外側部の他方に向かって延在する第2の部分とを備え、第2の部分が、内側部と外側部との間の第1の位置にて終端しアッパーに向かう方向にテーパ状をなす遠位端を備える、ソール構造体。
【０１５７】
項53:第1の流体充填セグメントは、第1の流体充填セグメントの第1の部分から内側部および外側部の他方に向かって延在する第3の部分を備える、項52に記載のソール構造体。
【０１５８】
項54:第3の部分が、第2の部分と共に収束形状を作る、項53に記載のソール構造体。
【０１５９】
項55:第3の部分が、内側部と外側部との間の第2の位置にて終端する遠位端を備える、項53に記載のソール構造体。
【０１６０】
項56:第1の位置が、第2の位置とは異なる、項55に記載のソール構造体。
【０１６１】
項57:第2の部分および第3の部分の一方が、第2の部分および第3の部分の他方よりも大きな度合いで内側部および外側部の他方に向かって延在する、項1から項56のいずれか一項に記載のソール構造体。
【０１６２】
項58:第2の部分および第3の部分が、それぞれ異なる長さを備える、項1から項57のいずれか一項に記載のソール構造体。
【０１６３】
項59:第1の流体充填セグメントに隣接して配設され、ソール構造体の内側部とソール構造体の外側部との間で延在する第1の部分を備える、第2の流体充填セグメントをさらに備える、項1から項58のいずれか一項に記載のソール構造体。
【０１６４】
項60:第2の流体充填セグメントの第1の部分が、ソール構造体の内側部とソール構造体の外側部との間で連続的に延在する、項59に記載のソール構造体。
【０１６５】
項61:第2の流体充填セグメントの第1の部分が、第1の流体充填セグメントの第2の部分に対して実質的に平行である、項59または項60に記載のソール構造体。
【０１６６】
項62:第2の流体充填セグメントが、内側部および外側部の他方に沿って延在する第2の部分と、第2の流体充填セグメントの第2の部分から内側部および外側部の一方に向かって延在する第3の部分とを備える、項59から項61のいずれか一項に記載のソール構造体。
【０１６７】
項63:第2の流体充填セグメントの第2の部分が、内側部と外側部との間の位置にて終端する遠位端を備える、項62に記載のソール構造体。
【０１６８】
項64:遠位端が、アッパーに向かう方向にテーパ状をなす、項63に記載のソール構造体。
【０１６９】
項65:第1の流体充填セグメントが、第2の流体充填セグメントと流体連通状態にある、項1から項64のいずれか一項に記載のソール構造体。
【０１７０】
項66:項1から項65のいずれか一項に記載のソール構造体を組み込んだフットウェア製品。
【０１７１】
項67:アッパーを有するフットウェア製品用のソール構造体であって、第1の流体充填セグメントを備え、第1の流体充填セグメントが、ソール構造体の内側部およびソール構造体の外側部の一方に沿って延在する第1の部分と、第1の流体充填セグメントの第1の部分から内側部および外側部の他方に向かって延在する第2の部分と、第1の流体充填セグメントの第1の部分から内側部および外側部の他方に向かって延在し第2の部分と共に収束形状を作る第3の部分とを備える、ソール構造体。
【０１７２】
項68:第2の部分が、内側部と外側部との間の第1の位置にて終端しアッパーに向かう方向にテーパ状をなす遠位端を備える、項67に記載のソール構造体。
【０１７３】
項69:第3の部分が、内側部と外側部との間の第2の位置にて終端する遠位端を備える、項1または項68のいずれか一項に記載のソール構造体。
【０１７４】
項70:第1の位置が、第2の位置とは異なる、項69に記載のソール構造体。
【０１７５】
項71:第2の部分および第3の部分の一方が、第2の部分および第3の部分の他方よりも大きな度合いで内側部および外側部の他方に向かって延在する、項1から項70のいずれか一項に記載のソール構造体。
【０１７６】
項72:第2の部分および第3の部分が、それぞれ異なる長さを備える、項1から項71のいずれか一項に記載のソール構造体。
【０１７７】
項73:第1の流体充填セグメントに隣接して配設され、ソール構造体の内側部とソール構造体の外側部との間で延在する第1の部分を備える第2の流体充填セグメントをさらに備える、項1から項72のいずれか一項に記載のソール構造体。
【０１７８】
項74:第2の流体充填セグメントの第1の部分が、ソール構造体の内側部とソール構造体の外側部との間で連続的に延在する、項73に記載のソール構造体。
【０１７９】
項75:第2の流体充填セグメントの第1の部分が、第1の流体充填セグメントの第2の部分に対して実質的に平行である、項73または項74に記載のソール構造体。
【０１８０】
項76:第2の流体充填セグメントが、内側部および外側部の他方に沿って延在する第2の部分と、第2の流体充填セグメントの第2の部分から内側部および外側部の一方に向かって延在する第3の部分とを備える、項73から項75のいずれか一項に記載のソール構造体。
【０１８１】
項77:第2の流体充填セグメントの第2の部分が、内側部と外側部との間の位置にて終端する遠位端を備える、項76に記載のソール構造体。
【０１８２】
項78:第2の流体充填セグメントの第2の部分の遠位端が、アッパーに向かう方向にテーパ状をなす、項77に記載のソール構造体。
【０１８３】
項79:第1の流体充填セグメントが、第2の流体充填セグメントと流体連通状態にある、項1から項78のいずれか一項に記載のソール構造体。
【０１８４】
項80:項1から項79のいずれか一項に記載のソール構造体を組み込んだフットウェア製品。
【０１８５】
前述の説明は、例示および説明を目的として提示される。これは、網羅的になるようにまたは本開示を限定するようには意図されない。特定の構成の個々の要素または特徴は、概してその特定の構成に限定されず、適用可能である場合には、具体的に図示または説明されない場合でも互換的であり、選択された構成において使用され得る。また、特定の構成の個々の要素または特徴は、多数の様式で変更され得る。かかる変更は、本開示からの逸脱とはみなされるべきでなく、あらゆるかかる修正が、本開示の範囲内に含まれるように意図される。
【符号の説明】
【０１８６】
3  屈曲部
5  遠位端
9  導管
10  フットウェア製品、フットウェア
12  フォアフット領域
14  ミッドフット領域、ミッドフット部分
16  ヒール領域、ヒール部分
18  外側部
20  内側部
100  アッパー
102  内空部、空部
104  足首開口
106  留め具
120  第1の一連の緩衝および支持ベクトル
122  第2の一連の緩衝および支持ベクトル
140  第3の一連の緩衝および支持ベクトル
141  第4の緩衝および支持ベクトル
142  第5の緩衝および支持ベクトル
160  第6の一連の緩衝および支持ベクトル
188  間隙部
200  ソール構造体
210  アウトソール
212  地面係合表面
214  内方表面
215  溝
216  インソール
220  ストローブル
222  底部表面
224  フットベッド
226  ステッチ
230  ヒールカップ
240  ミッドソール
242  底部表面
244  頂部表面
300  流体充填チャンバ
301  上方バリア層、上方層
302  下方バリア層、下方層、下方表面
304  オーバーモールド成形部分
306  フランジ
308  ウェブエリア
310  流体充填セグメント
311  第1の部分
312  第2の部分
313  第3の部分
314  第4の部分
315  第5の部分
320  流体充填セグメント
321  第1の部分
322  第2の部分
323  第3の部分
330  流体充填セグメント
331  第1の部分
332  第2の部分
333  第3の部分
334  第4の部分
335  第5の部分
340  流体充填セグメント
341  第1の部分
342  第2の部分
342  第3の部分
350  流体充填セグメント
360  流体充填セグメント
370  流体充填セグメント
100a  アッパー
10a  フットウェア、フットウェア製品
200a  ソール構造体
220a  ストローブル
222a  底部表面
300a  流体充填チャンバ
301a  上方層、上方表面
【図１】
2019508180.tif 000003
【図２】
2019508180.tif 000004
【図３】
2019508180.tif 000005
【図４】
2019508180.tif 000006
【図５】
2019508180.tif 000007
【図６】
2019508180.tif 000008
【図７】
2019508180.tif 000009
【図８】
2019508180.tif 000010
【図９】
2019508180.tif 000011
【図１０】
2019508180.tif 000012
【図１１】
2019508180.tif 000013
【図１２】
2019508180.tif 000014
【図１３】
2019508180.tif 000015
【図１４】
2019508180.tif 000016
【図１５】
2019508180.tif 000017
【図１６】
2019508180.tif 000018
【図１７】
2019508180.tif 000019
【国際調査報告】
2019508180.tif 000020
2019508180.tif 000021